(57)【要約】      （修正有）【課題】画面表示要求を続けて行く上で、必要なウインドウのみが開いている状態を維持し、簡潔な画面表示を維持可能な監視装置および監視方法を提供する。【解決手段】画面上にコマンド実行ボタンを表示するメニューウインドウおよびコマンドで選択された各種情報を画像表示する出力ウインドウを有するＣＲＴ表示装置１５と、ＣＲＴ表示装置１５の画面上に表示されるメニューウインドウ内のコマンド実行ボタンが選択されることにより、出力用ウインドウの表示内容を新たな表示内容に更新する出力用ウインドウ表示データ更新部３７とを備える。【選択図】図１
2007052537.tif 000002
【特許請求の範囲】
【請求項１】
画面上にコマンド実行ボタンを表示するメニューウインドウおよび前記コマンドで選択された各種情報を表示する出力ウインドウを有する入出力手段と、
前記メニューウインドウ内のコマンド実行ボタンが選択されることにより選択されたコマンド実行ボタンに割り付けられたコマンドを送信するメニューウインドウ制御プロセス実行手段と、
前記メニューウインドウ制御プロセス実行手段から受信したコマンドを実行するとともに当該コマンドの実行結果を前記出力用ウインドウに表示する出力用ウインドウ制御プロセス実行手段とを具備し、
前記出力用ウインドウ制御プロセス実行手段は、前記メニュー制御プロセス実行手段からコマンドを受信するコマンド受信部と、
予めコマンド実行処理内容を格納しているコマンド実行処理ファイルから前記コマンド受信部によって受信されたコマンドの実行に必要な情報をコピーして前記出力用ウインドウ制御プロセス実行手段内のデータ保存領域に格納するコマンド実行処理情報コピー部と、
前記データ保存領域に格納される情報を参照してコマンドの実行処理を行うコマンド実行処理部と、
前記出力用ウインドウの表示内容を新たな表示内容に更新する出力用ウインドウ表示データ更新部とを備えることを特徴とする監視装置。
【請求項２】
前記コマンドは、前記出力用ウインドウに任意の画面またはリストを表示するコマンドであることを特徴とする請求項１記載の監視装置。
【請求項３】
前記入出力手段は、出力用ウインドウに表示される画面を前進または後進させるコマンドを出力する実行ボタンを備え、
前記メニューウインドウ制御プロセス実行手段は、任意の画面を表示するコマンドを前記出力用ウインドウ制御プロセス実行手段に送信する画面表示コマンド送信部と、
画面の表示を予め定めた順番に前進させるコマンドおよび後進させるコマンドのうち、選択されたコマンド実行ボタンに割り付けられたコマンドを前記出力用ウインドウ制御プロセス実行手段に送信する画面表示前後進コマンド送信部とを備え、
前記出力用ウインドウ制御プロセス実行手段は、前記画面表示コマンド送信部から送信されたコマンドを受信する画面表示コマンド受信部と、
前記画面表示前後進コマンド送信部から送信されたコマンドを受信する画面表示前後進コマンド受信部と、
画面を表示するコマンドの実行に必要な情報をコマンド実行処理ファイルからコピーして前記出力用ウインドウ制御プロセス実行手段内のデータ保存領域に格納する画面表示コマンド実行処理情報コピー部と、
画面を表示する順番を前進するコマンドおよび後進するコマンドのうち、前記画面表示前後進コマンド受信部が受信したコマンドを実行するのに必要な情報をコマンド実行処理ファイルからコピーして前記出力用ウインドウ制御プロセス実行手段内のデータ保存領域に格納する画面表示前後進コマンド実行処理情報コピー部と、
前記データ保存領域に格納される情報を参照して画面を表示する順番を記憶する画面表示順番記憶部と、
前記データ保存領域に格納される情報を参照して画面を表示するコマンドの実行処理を行う画面表示コマンド実行処理部と、
出力用ウインドウの表示内容を新たな表示内容に更新する出力用ウインドウ表示データ更新部とを備えることを特徴とする請求項１記載の監視装置。
【請求項４】
前記入出力手段は、出力用ウインドウに表示されるリストの表示項目を前進または後進させるコマンドを出力する実行ボタンを備え、
前記メニューウインドウ制御プロセス実行手段は、任意のリストを表示するコマンドを前記出力用ウインドウ制御プロセス実行手段に送信するリスト表示コマンド送信部と、
リストの表示を予め定めた順番に前進させるコマンドおよび後進させるコマンドのうち、選択されたコマンド実行ボタンに割り付けられたコマンドを前記出力用ウインドウ制御プロセス実行手段に送信するフィルタリング前後進コマンド送信部とを備え、
前記出力用ウインドウ制御プロセス実行手段は、前記フィルタリング前後進コマンド送信部から送信されたコマンドを受信するフィルタリング前後進コマンド受信部と、
前記フィルタリング前後進コマンド送信部から送信されたコマンドを受信するリスト表示前後進コマンド受信部と、
前記リストを表示するコマンドの実行に必要な情報をコマンド実行処理ファイルからコピーして前記出力用ウインドウ制御プロセス実行手段内のデータ保存領域に格納するリスト表示コマンド実行処理情報コピー部と、
リストを表示する順番を前進するコマンドおよび後進するコマンドのうち、前記画面表示前後進コマンド受信部が受信したコマンドを実行するのに必要な情報をコマンド実行処理ファイルからコピーして前記出力用ウインドウ制御プロセス実行手段内のデータ保存領域に格納するフィルタリング項目順番情報コピー部と、
前記データ保存領域に格納される情報を参照してリストを表示する順番を記憶するフィルタリング項目順番記憶部と、
前記データ保存領域に格納される情報を参照して画面を表示するコマンドの実行処理を行う画面表示コマンド実行処理部と、
出力用ウインドウの表示内容を新たな表示内容に更新する出力用ウインドウ表示データ更新部とを備えることを特徴とする請求項１記載の監視装置。
【請求項５】
前記リストに対するフィルタリングのレベルが少なくとも複数個設定されることを特徴とする請求項４記載の監視装置。
【請求項６】
前記メニューウインドウ制御プロセス実行手段は、コマンドを前記出力用ウインドウ制御プロセス実行手段に送信するコマンド送信部と、
予め表示手段の画面上に表示される複数の出力先ウインドウのうち、前記コマンドの送信先が選択された出力先ウインドウを制御する出力用ウインドウ制御プロセス実行手段となるように切り替える出力先ウインドウ切替部とを備えることを特徴とする請求項１記載の監視装置。
【請求項７】
前記表示手段を複数有しており、複数の表示手段のうち選択された表示手段をコマンド実行結果の表示先として切り替える分配手段をさらに具備し、
前記メニューウインドウ制御プロセス実行手段は、コマンドを前記出力用ウインドウ制御プロセス実行手段に送信するコマンド送信部と、
前記コマンドの送信先が選択された表示手段に前記コマンドの実行結果を表示する出力用ウインドウ制御プロセス実行手段となるように切り替える出力先表示手段切替部とを備えることを特徴とする請求項１記載の監視装置。
【請求項８】
入出力手段から出力されたコマンド実行ボタン選択情報を受信して対応するコマンドを生成する選択コマンド生成ステップと、生成したコマンドを送信する選択コマンド送信ステップとを備えるメニューウインドウ制御プロセスと、
前記選択コマンド送信ステップで送信されたコマンドを受信する選択コマンド受信ステップと、コマンド実行処理情報をコマンド実行処理ファイルからコピーして出力用ウインドウ制御プロセス実行手段内のデータ保存領域に格納するコマンド実行処理情報コピーステップと、前記データ保存領域に格納されるコマンド実行処理情報を参照してコマンドの実行処理を行うコマンド実行処理ステップと、出力用ウインドウの表示内容を新たな表示内容に更新する出力用ウインドウ表示更新ステップとを備える出力用ウインドウ制御プロセスとを具備することを特徴とする監視方法。
【発明の詳細な説明】
【技術分野】
【０００１】
監視装置および監視方法に係り、特に、表示要求内容を画面表示する際に、用途に応じた簡潔な画面表示を実現する監視装置および監視方法に関する。
【背景技術】
【０００２】
監視装置および監視方法に関する背景技術としては、コマンド実行の指示を受け付けると、当該コマンドを実行し、コマンド実行結果をウインドウに表示する技術がある。
【０００３】
例えば、マンマシンインターフェイスを実現する入出力装置において表示されるメニューウインドウ内にコマンドの実行を要求するコマンド実行ボタンがｎ（ｎは任意の自然数）個表示されているものとする。この場合、メニューウインドウ内に表示される任意のコマンド実行ボタン、例えば、第ｎのコマンド実行ボタンを選択すると、メニューウインドウ制御プロセス実行手段が、第ｎのウインドウ制御プロセス実行手段を起動する起動要求を出力する。
【０００４】
ウインドウ制御プロセス実行手段は、コマンドの実行結果を表示するウインドウ毎にウインドウ制御プロセス実行手段を有する。例えば、第ｎのウインドウ制御プロセス実行手段を起動する起動要求を受け取ると、第ｎのウインドウ制御プロセス実行手段が起動し、当該コマンドの実行に必要なファイルを参照してコマンドの実行を行う。そして、コマンドを実行した結果を予め対応付けされた第ｎのウインドウに表示または更新する。
【０００５】
つまり、従来の監視装置では、複数種類のコマンドを実行すると、実行した種類と同数のウインドウが入出力装置に表示されることになる。
【０００６】
また、背景技術として、例えば、特許文献１に記載されるように、一のウインドウと他のウインドウが重複するのを避けて簡潔な画面を維持しつつ効率良く監視情報を表示する監視装置および監視方法がある。
【０００７】
特許文献１に記載されるような従来の監視装置では、作画ツールで監視画面を作成し、この監視画面の一部にウインドウ図形を嵌め込むウインドウ図形表示エリアが設けられている。このウインドウ図形表示エリアは、現在の監視画面と、コンピュータ内のメモリに格納されるその他の監視画面とを切替表示可能に構成される。
【特許文献１】特開平８−１９０４２２号公報
【発明の開示】
【発明が解決しようとする課題】
【０００８】
しかしながら、従来の監視装置および監視方法では、表示要求のあった監視情報が既に表示されているウインドウ内のウインドウ図形エリアで表示可能な監視情報でない場合、ウインドウ図形エリアの監視画面を切り替えることはできず、表示要求の監視情報を表示するための新たなウインドウが表示装置の画面上に表示される。
【０００９】
つまり、表示要求のあった監視情報が既に表示されているウインドウ内のウインドウ図形エリアで表示可能な監視情報でない場合、画面表示要求を行う度に、ＯＳの性質上、新たなウインドウが開く。このように、コマンド実行処理の度に新たなウインドウが開いてしまうと、監視情報を表示するウインドウが増えていき、表示装置に表示される監視情報が煩雑となる事態を招来する。表示装置に表示される監視情報が煩雑であることは、監視上、誤認、誤操作が生じることも考えられ好ましくない。
【００１０】
そこで、本発明は、上述する課題を解決するべく、画面表示要求を続けて行く上で、必要なウインドウのみが開いている状態を維持し、簡潔な画面表示を維持可能な監視装置および監視方法を提供することを目的とする。
【課題を解決するための手段】
【００１１】
本発明に係る監視装置は、上述した課題を解決するため、請求項１に記載したように、画面上にコマンド実行ボタンを表示するメニューウインドウおよび前記コマンドで選択された各種情報を表示する出力ウインドウを有する入出力手段と、前記メニューウインドウ内のコマンド実行ボタンが選択されることにより選択されたコマンド実行ボタンに割り付けられたコマンドを送信するメニューウインドウ制御プロセス実行手段と、前記メニューウインドウ制御プロセス実行手段から受信したコマンドを実行するとともに当該コマンドの実行結果を前記出力用ウインドウに表示する出力用ウインドウ制御プロセス実行手段とを具備し、前記出力用ウインドウ制御プロセス実行手段は、前記メニュー制御プロセス実行手段からコマンドを受信するコマンド受信部と、予めコマンド実行処理内容を格納しているコマンド実行処理ファイルから前記コマンド受信部によって受信されたコマンドの実行に必要な情報をコピーして前記出力用ウインドウ制御プロセス実行手段内のデータ保存領域に格納するコマンド実行処理情報コピー部と、前記データ保存領域に格納される情報を参照してコマンドの実行処理を行うコマンド実行処理部と、前記出力用ウインドウの表示内容を新たな表示内容に更新する出力用ウインドウ表示データ更新部とを備えることを特徴とする。
【００１２】
本発明に係る監視方法は、上述した課題を解決するため、請求項８に記載したように、入出力手段から出力されたコマンド実行ボタン選択情報を受信して対応するコマンドを生成する選択コマンド生成ステップと、生成したコマンドを送信する選択コマンド送信ステップとを備えるメニューウインドウ制御プロセスと、前記選択コマンド送信ステップで送信されたコマンドを受信する選択コマンド受信ステップと、コマンド実行処理情報をコマンド実行処理ファイルからコピーして出力用ウインドウ制御プロセス実行手段内のデータ保存領域に格納するコマンド実行処理情報コピーステップと、前記データ保存領域に格納されるコマンド実行処理情報を参照してコマンドの実行処理を行うコマンド実行処理ステップと、出力用ウインドウの表示内容を新たな表示内容に更新する出力用ウインドウ表示更新ステップとを備える出力用ウインドウ制御プロセスとを具備することを特徴とする。
【発明の効果】
【００１３】
本発明に係る監視装置および監視方法によれば、画面表示要求を続けて行く上で不必要に新たなウインドウが開くことがなく、必要なウインドウのみが開いている状態を維持することができるので、簡潔な画面表示を維持することができる。
【発明を実施するための最良の形態】
【００１４】
以下、本発明に係る監視装置および監視方法の実施の形態を添付の図面を参照しながら説明する。
【００１５】
［第１の実施形態］
図１は本発明の実施形態に係る監視装置の一実施例を表す基本構成図である。
【００１６】
図１において、１０Ａはプラント監視装置、１５はＣＲＴ表示装置等で構成された入出力手段（以下、ＣＲＴ表示装置として説明する）、１９Ａはメニューウインドウ制御プロセス実行手段、２０Ａは出力用ウインドウ制御プロセス実行手段である。
【００１７】
前記ＣＲＴ表示装置１５は、画面上に表示するメニューウインドウＭＷ内に、第１のコマンド実行ボタンＰＢ１および第２のコマンド実行ボタンＰＢ２の２つのコマンド実行ボタンＰＢを有している。
【００１８】
メニューウインドウＭＷ内のコマンド実行ボタンＰＢのうち、１つのコマンド実行ボタンＰＢ、すなわち、第１のコマンド実行ボタンＰＢ１および第２のコマンド実行ボタンＰＢ２のいずれかが選択されると、どのコマンド実行ボタンＰＢが選択されたかを表すコマンド実行ボタン選択情報をＭＷ制御プロセス実行手段１９Ａへ送る。
【００１９】
ＭＷ制御プロセス実行手段１９Ａは、コマンド実行ボタン選択情報を受信するコマンド実行ボタン選択情報受信部（以下、ＰＢ選択情報受信部とする）２７と、メニューウインドウＭＷのステータスを更新するステータス更新部２８と、ＯＷ制御プロセス実行手段２０Ａへ選択されたコマンド（実行命令）を送信するコマンド送信部２９とを備える。
【００２０】
ＰＢ選択情報受信部２７は、各コマンド実行ボタンＰＢ１，ＰＢ２に対応したコマンド実行ボタン選択情報を受信する第１のＰＢ選択情報受信部２７ａと、第２のＰＢ選択情報受信部２７ｂとを備えており、これら受信部２７ａ，２７ｂは受信したコマンド実行ボタン選択情報に対応するコマンド（以下、選択コマンドとする）をステータス更新部２８およびコマンド送信部２９へ送信する機能を有している。
【００２１】
ステータス更新部２８は、選択コマンドを受信すると、更新情報をＣＲＴ表示装置１５に送ってメニューウインドウＭＷの表示内容を更新する。すなわち、表示内容が更新された後のメニューウインドウＭＷには、コマンドの実行後において、ユーザからの入力を受け付けることができるコマンドに対応したコマンド実行ボタンＰＢが表示される。
【００２２】
コマンド送信部２９は、ＰＢ選択情報受信部２７から送信される選択コマンドをＯＷ制御プロセス実行手段２０Ａへ送信する。例えば、第１のＰＢ選択情報受信部２７ａから第１のコマンド実行ボタンＰＢ１を選択した旨の選択コマンドを受信すると、第１のコマンド実行ボタンＰＢ１に対応するコマンド（以下、第１のコマンドとする。同様に、第２のコマンド実行ボタンＰＢ２に対応するコマンドを第２のコマンドとする。）をＯＷ制御プロセス実行手段２０Ａへ送信する。
【００２３】
ＯＷ制御プロセス実行手段２０Ａは、ＭＷ制御プロセス実行手段１９Ａから選択コマンドを受信するコマンド受信部３１と、このコマンド受信部３１から出力されたコマンドに基づいてコマンド実行処理ファイル２５にアクセスし、ここからコマンド実行処理情報３２をコピーしてレジスタ等のデータ保存領域３３に格納するコマンド実行処理情報コピー部３５と、データ保存領域３３に格納されるコマンド実行処理情報３２を参照してコマンドの実行処理を行うコマンド実行処理部３６と、出力用ウインドウＯＷの表示内容を新たな表示内容に更新するウインドウ表示データ更新部３７とを備える。
【００２４】
前述のコマンド実行処理情報３２とは、コマンド実行処理ファイル２５のうち、コマンドの実行に必要な情報をいう。ここで、コマンド実行処理ファイル２５は、第１のコマンドを実行する際に参照される第１のコマンド実行処理ファイル（図においては、第１ファイルと省略して示す）２５ａと、第２のコマンドを実行する際に参照される第２のコマンド実行処理ファイル（図においては、第２ファイルと省略して示す）２５ｂとを有している。従って、第１のコマンドを実行する場合には、コマンド実行処理情報３２と第１のコマンド実行処理ファイル２５ａの有する情報は実質的に差異はない。
【００２５】
データ保存領域３３に格納される情報は、後述する出力用ウインドウ制御プロセスを実行する際に参照される。
【００２６】
コマンド実行処理情報コピー部３５は、コマンド実行処理ファイル２５を参照してコマンドの実行に必要なコマンド実行処理情報３２をコピーすることができる。コピーされたコマンド実行処理情報３２は、データ保存領域３３に保存される。
【００２７】
コマンド実行処理部３６は、データ保存領域３３に格納されるコマンド実行処理情報３２を参照してコマンドの実行処理を行う。
【００２８】
ウインドウ表示データ更新部３７は、マルチウインドウ表示形式のビットマップ（ＢｉｔＭａｐ）データを生成する機能を有する。ウインドウ表示データ更新部３７が生成したビットマップデータの表す表示情報は、ＣＲＴ表示装置１５に送られ、出力用ウインドウＯＷとして表示されたり、表示されていた出力用ウインドウＯＷの表示内容が更新される。
【００２９】
このように構成されるプラント監視装置１０Ａでは、ＯＷ制御プロセス実行手段２０Ａがコマンドの実行処理時に必要なコマンド実行処理ファイル２５を直接読み込むことなく、コマンド実行処理ファイル２５に格納されているコマンド実行処理情報３２をデータ保存領域３３にコピーして取得した後、データ保存領域３３のコマンド実行処理情報３２を読み込んで実行する点で従来のプラント監視装置と相違する。
【００３０】
この実施例のプラント監視装置１０Ａでは、ＯＷ制御プロセス実行手段２０Ａがコマンド実行処理を行う際に、コマンド実行処理に必要なコマンド実行処理情報３２を自己に備えられたデータ保存領域３３から読み込むことができる。従って、従来技術におけるコマンド実行処理ファイル２５を直接読み込むことにより、新たな出力用ウインドウＯＷが開くという事態は回避することができる。すなわち、コマンド実行処理の度に新たなウインドウが開いてしまうことはなく、ウインドウの増加に伴う画面表示の煩雑さを解消し、簡潔な画面表示を維持することができる。
【００３１】
この実施例のプラント監視装置１０Ａによれば、ＭＷ制御プロセス実行手段１９ＡおよびＯＷ制御プロセス実行手段２０Ａを具備し、ＭＷ制御プロセス実行手段１９Ａが生成したコマンド実行要求信号を受信したＯＷ制御プロセス実行手段２０Ａが、データ保存領域３３に格納されるコマンド実行処理情報３２を参照してコマンドを実行し、実行結果に係る表示情報を出力用ウインドウＯＷに送信するように構成されるので、不要な出力用ウインドウＯＷが表示画面上に残ることなく、簡潔な画面表示を維持することができる。
【００３２】
尚、メニューウインドウＭＷに表示される実行コマンドボタンＰＢの個数は図に示される個数に限定されることはなく任意の個数で良い。この点は、後述する他の実施形態においても同様である。
【００３３】
次に、図２を参照して本発明の第１の実施形態に係るプラント監視方法について説明する。
【００３４】
図２は、本発明の第１の実施形態に係るプラント監視方法を説明する処理フロー図である。
【００３５】
本発明の第１の実施形態に係るプラント監視方法は、プラント監視装置１０Ａが第１のプラント監視処理手順を実行することでなされ、第１のプラント監視処理手順は、図２に示すように、メニューウインドウＭＷを制御するプロセスである第１のメニューウインドウ制御プロセス（以下、メニューウインドウ制御プロセスをＭＷ制御プロセスとする）と、出力用ウインドウＯＷを制御するプロセスである第１の出力用ウインドウ制御プロセス（以下、出力用ウインドウ制御プロセスをＯＷ制御プロセスとする）とを具備する。
【００３６】
第１のＭＷ制御プロセスは、コマンド実行ボタン選択情報を受信して、対応するコマンドを生成する選択コマンド生成ステップ（ステップＳ１）と、ＯＷ制御プロセス実行手段２０Ａへ選択コマンドを送信する選択コマンド送信ステップ（ステップＳ２）とを備える。
【００３７】
一方、第１のＯＷ制御プロセスは、ＭＷ制御プロセス実行手段１９Ａから選択コマンドを受信する選択コマンド受信ステップ（ステップＳ３）と、コマンド実行処理情報３２をコマンド実行処理ファイル２５からコピーしてデータ保存領域３３に格納するコマンド実行処理情報コピーステップ（ステップＳ４）と、データ保存領域３３に格納されるコマンド実行処理情報３２を参照してコマンドの実行処理を行うコマンド実行処理ステップ（ステップＳ５）と、出力用ウインドウＯＷの表示内容を新たな表示内容に更新する出力用ウインドウ表示更新ステップ（以下、ＯＷ表示更新ステップとし、この処理ステップをステップＳ６とする）とを備える。
【００３８】
第１のプラント監視処理手順は、ユーザがメニューウインドウＭＷに表示されるコマンド実行ボタンＰＢを選択することにより、ＰＢ選択情報受信部２７が、各コマンド実行ボタンＰＢに対応したコマンド実行ボタン選択情報のいずれかを受信すると開始される。
【００３９】
第１のプラント監視処理手順が開始されると、最初に、第１のＭＷ制御プロセス（ステップＳ１〜ステップＳ２）がなされる。第１のＭＷ制御プロセスでは、まず、ステップＳ１で選択コマンド生成ステップがなされ、ＰＢ選択情報受信部２７がコマンド実行ボタン選択情報を受信すると、コマンド実行ボタン選択情報に対応するコマンド（選択コマンド）を生成する。すなわち、第１のＰＢ選択情報受信部２７ａは、第１のコマンド実行ボタン選択情報を受信して第１のコマンドを、第２のＰＢ選択情報受信部２７ｂは、第２のコマンド実行ボタン選択情報を受信して第２のコマンドを生成する。
【００４０】
ＰＢ選択情報受信部２７がコマンド実行ボタン選択情報に対応する選択コマンドを生成すると、選択コマンド生成ステップを完了し、続いて、ステップＳ２でコマンド送信ステップがなされる。
【００４１】
コマンド送信ステップ（ステップＳ２）では、コマンド送信部２９が、ＰＢ選択情報受信部２７から受信した選択コマンドをＯＷ制御プロセス実行手段２０Ａへ送信する。コマンド送信部２９が、ＯＷ制御プロセス実行手段２０Ａへ選択コマンドを送信すると、コマンド送信ステップを完了する。そして、コマンド送信ステップの完了をもって、第１のＭＷ制御プロセスも完了する。
【００４２】
第１のＭＷ制御プロセスが完了すると、次に、第１のＯＷ制御プロセス（ステップＳ３〜ステップＳ６）がなされる。第１のＯＷ制御プロセスでは、まず、ステップＳ３でコマンド受信ステップがなされ、ＭＷ制御プロセス実行手段１９Ａから送信される選択コマンドをコマンド受信部３１が受信する。そして、受信した選択コマンドをコマンド実行処理情報コピー部３５へ送る。コマンド受信部３１が受信した選択コマンドがコマンド実行処理情報コピー部３５へ送られると、コマンド受信ステップは完了する。コマンド受信ステップが完了すると、続いて、ステップＳ４でコマンド実行処理情報コピーステップがなされる。
【００４３】
コマンド実行処理情報コピーステップ（ステップＳ４）では、選択コマンドを受信したコマンド実行処理情報コピー部３５が、受信した選択コマンドを実行するにあたり必要となるコマンド実行処理情報３２をコマンド実行処理ファイル２５からコピーしてデータ保存領域３３に格納する。コマンド実行処理情報３２のコピーが完了すると、コマンド実行処理情報コピーステップは完了し、続いて、ステップＳ５でコマンド実行処理ステップがなされる。
【００４４】
コマンド実行処理ステップ（ステップＳ５）では、コマンド実行処理部３６が、データ保存領域３３に格納されるコマンド実行処理情報３２を参照して選択コマンドの実行処理を行う。つまり、ユーザが第１のコマンド実行ボタンＰＢ１を選択していた場合には第１のコマンドが、第２のコマンド実行ボタンＰＢ２を選択していた場合には第２のコマンドが実行される。コマンド実行処理部３６が、選択コマンドの実行処理を行うと、コマンド実行処理ステップは完了する。コマンド実行処理ステップを完了すると、続いて、ステップＳ６でＯＷ表示更新ステップがなされる。
【００４５】
ＯＷ表示更新ステップ（ステップＳ６）では、ウインドウ表示データ更新部３７が、コマンド実行処理ステップの実行に伴い更新される表示情報のビットマップデータを生成し、生成したビットマップデータが表す情報更新後の表示情報をＣＲＴ表示装置１５へ送信する。ＣＲＴ表示装置１５が表示情報を受け取ると、出力用ウインドウＯＷとして表示されたり表示内容が更新される。
【００４６】
ウインドウ表示データ更新部３７が、情報更新後の表示情報をＣＲＴ表示装置１５へ送信すると、ＯＷ表示更新ステップは完了する。ＯＷ表示更新ステップが完了すると、第１のＯＷ制御プロセスも完了し、第１のＯＷ制御プロセスの完了をもって、第１のプラント監視処理手順の全プロセスは完了する。
【００４７】
本発明の第１の実施形態に係るプラント監視方法によれば、第１のＭＷ制御プロセスおよび第１のＯＷ制御プロセスを具備する第１のプラント監視処理手順を実行するにあたり、第１のＯＷ制御プロセスにおいて、第１のＭＷ制御プロセスで生成された選択コマンドに対応したコマンドの実行に必要なコマンド実行処理情報３２をコピーしてデータ保存領域３３に格納した後に、データ保存領域３３へアクセスしてコマンドを実行することができる。従って、新たなコマンドの実行に伴い、新たな出力用ウインドウＯＷが開くことがなく、簡潔な画面表示を維持することができる。
【００４８】
［第２の実施形態］
本発明の第２の実施形態に係るプラント監視装置の一実施例であるプラント監視装置１０Ｂは、画面表示を行っても簡潔な画面表示をするように構成されたものである。
【００４９】
図３は、本発明の第２の実施形態に係る監視装置の一実施例であるプラント監視装置１０Ｂにおける機能構成図である。尚、プラント監視装置１０Ａと実質的に相違しない箇所には同じ符号を付して説明を省略する。
【００５０】
プラント監視装置１０Ｂは、図１に示したプラント監視装置１０ＡのＭＷ制御プロセス実行手段１９ＡおよびＯＷ制御プロセス実行手段２０Ａの代わりに、ＭＷ制御プロセス実行手段１９ＢおよびＯＷ制御プロセス実行手段２０Ｂを具備する点において相違するが、その他の点では実質的に相違しない。
【００５１】
図３に示すプラント監視装置１０Ｂは、メニューウインドウＭＷに、一例として二つのコマンド実行ボタン、すなわち、第１のコマンド実行ボタンＰＢ１および第２のコマンド実行ボタンＰＢ２を有する。また、プラント監視装置１０Ｂにおけるコマンドは、画面を表示するコマンド（以下、画面表示コマンドとする）であり、第１のコマンドを第１画面表示コマンド、第２のコマンドを第２画面表示コマンドであるとして説明する。
【００５２】
図３を用いてプラント監視装置１０Ｂと図１に示したプラント監視装置１０Ａとの相違点をより詳細に説明すると、図３のＭＷ制御プロセス実行手段１９Ｂにおいては、ＭＷ制御プロセス実行手段１９Ａのコマンド送信部２９の代わりに、画面表示コマンド送信部４０を備える点で相違する。また、図３のＯＷ制御プロセス実行手段２０Ｂにおいては、図１のコマンド受信部３１の代わりに画面表示コマンド受信部４１を、図１のコマンド実行処理情報コピー部３５の代わりに画面表示コマンド実行処理情報コピー部４２を、また、図１のコマンド実行処理部３６の代わりに画面表示コマンド実行処理部４３を備える点で相違する。
【００５３】
つまり、ＭＷ制御プロセス実行手段１９Ｂは、ＰＢ選択情報受信部２７と、ステータス更新部２８と、ＯＷ制御プロセス実行手段２０Ｂへ画面表示コマンドを送信する画面表示コマンド送信部４０とを備え、この画面表示コマンド送信部４０は、ＰＢ選択情報受信部２７から送信される選択コマンドをＯＷ制御プロセス実行手段２０Ｂへ送信する。例えば、第２のＰＢ選択情報受信部２７ｂから第２のコマンド実行ボタンＰＢ２を選択した旨の選択コマンドを受信すると、第２のコマンド実行ボタンＰＢ２に対応するコマンド、すなわち、第２画面表示コマンドをＯＷ制御プロセス実行手段２０Ｂへ送信する。
【００５４】
ＯＷ制御プロセス実行手段２０Ｂは、ＭＷ制御プロセス実行手段１９Ｂの画面表示コマンド送信部４０から送信された画面表示コマンドを受信する画面表示コマンド受信部４１と、画面表示ファイル２５ｃ，２５ｄのコマンド実行処理情報（以下、画面表示処理用情報とする）３２ａをコピーしてデータ保存領域３３に保存する画面表示コマンド実行処理情報コピー部４２と、データ保存領域３３に格納される画面表示処理用情報３２ａ参照して画面表示コマンドの実行処理を行う画面表示コマンド実行処理部４３と、ウインドウ表示データ更新部３７とを備える。
【００５５】
画面表示コマンド受信部４１は、ＭＷ制御プロセス実行手段１９Ｂの画面表示コマンド送信部４０から送信された画面表示コマンドを受信する。
【００５６】
画面表示コマンド実行処理情報コピー部４２は、画面表示コマンド受信部４１から出力されたコマンドに基づいて画面表示ファイル２５ｃ，２５ｄを参照して画面表示コマンドの実行に必要な情報をコピーして画面表示処理用情報３２ａとしてデータ保存領域３３に保存することができる。
【００５７】
画面表示コマンド実行処理部４３は、データ保存領域３３に格納される画面表示処理用情報３２ａを参照して画面表示コマンドの実行処理を行う。
【００５８】
このように構成されるプラント監視装置１０Ｂによれば、プラント監視装置１０Ａと同様に、ＯＷ制御プロセス実行手段２０Ｂが、データ保存領域３３に格納される画面表示処理用情報３２ａを参照して画面表示コマンドを実行し、表示要求のあった画面（本実施例では、第１の表示画面または第２の表示画面）についての表示情報を出力用ウインドウＯＷに送信するように構成されるので、表示要求のあった画面表示が表示される際に新たな出力用ウインドウＯＷが開くことがない。従って、不要な出力用ウインドウＯＷが表示画面上に残ることがなく、簡潔な画面表示を維持することができる。
【００５９】
次に、図４を参照して本発明の第２の実施形態に係るプラント監視方法について説明する。
【００６０】
図４は、本発明の第２の実施形態に係るプラント監視方法を説明する処理フロー図である。
【００６１】
本発明の第２の実施形態に係るプラント監視方法は、プラント監視装置１０Ｂが第２のプラント監視処理手順を実行することでなされ、第２のプラント監視処理手順は、図４に示すように、メニューウインドウＭＷを制御する第２のＭＷ制御プロセスと、出力用ウインドウＯＷを制御する第２のＯＷ制御プロセスとを具備する。
【００６２】
第２のＭＷ制御プロセスは、図２に示した第１のＭＷ制御プロセスと比較して、コマンドを送信するのが画面表示コマンド送信部４０である点、送信するコマンドが画面表示コマンドである点において異なる。しかしながら、処理ステップ自身には実質的に相違がない。つまり、選択コマンド生成ステップ（ステップＳ１）と、選択コマンド送信ステップ（ステップＳ２）とを備える点において実質的に一致している。従って、第２のＭＷ制御プロセスでは各処理ステップ毎の説明を省略する。
【００６３】
一方、第２のＯＷ制御プロセスは、図２に示した第１のＯＷ制御プロセスと比較して、選択コマンド受信ステップで受信する点およびコマンド実行処理ステップで実行処理するコマンドが画面表示コマンドである点で相違する。しかしながら、選択コマンド受信ステップ（ステップＳ３）と、コマンド実行処理情報コピーステップ（ステップＳ４）と、コマンド実行処理ステップ（ステップＳ５）と、ＯＷ表示更新ステップ（ステップＳ６）とを備える点において実質的に一致する。従って、第２のＯＷ制御プロセスでは各処理ステップ毎の説明を省略する。
【００６４】
本発明の第２の実施形態に係るプラント監視方法によれば、第２のプラント監視処理手順を実行するにあたり、第２のＯＷ制御プロセスにおいて、第２のＭＷ制御プロセスで生成された選択コマンドに対応したコマンドの実行に必要なコマンド実行処理情報（画面表示処理用情報）３２ａをコピーしてデータ保存領域３３に格納した後に、データ保存領域３３へアクセスして画面表示コマンドを実行することができる。従って、新たな画面表示コマンドの実行に伴い、新たな出力用ウインドウＯＷが開くことがなく、簡潔な画面表示を維持することができる。
【００６５】
［第３の実施形態］
本発明の第３の実施形態に係るプラント監視装置の一実施例であるプラント監視装置１０Ｃは、リスト表示を行っても簡潔な画面表示をするように構成されたものである。
【００６６】
図５は、本発明の第３の実施形態に係る監視装置の一実施例であるプラント監視装置１０Ｃにおける機能構成図である。尚、プラント監視装置１０Ａと実質的に相違しない箇所には同じ符号を付して説明を省略する。
【００６７】
プラント監視装置１０Ｃは、図１に示したプラント監視装置１０ＡのＭＷ制御プロセス実行手段１９ＡおよびＯＷ制御プロセス実行手段２０Ａの代わりに、ＭＷ制御プロセス実行手段１９ＣおよびＯＷ制御プロセス実行手段２０Ｃを具備する点において相違するが、その他の点では実質的に相違しない。
【００６８】
図５において、プラント監視装置１０Ｃでは、具体的な一例として、メニューウインドウＭＷに二つのコマンド実行ボタン、すなわち、第１のコマンド実行ボタンＰＢ１および第２のコマンド実行ボタンＰＢ２を有し、実行対象となるコマンドがリストを表示するコマンド（以下、リスト表示コマンドとする）である場合を表している。また、第１のコマンドを第１リスト表示コマンド、第２のコマンドを第２リスト表示コマンドであるとして説明する。
【００６９】
図５を用いてプラント監視装置１０Ｃと図１に示したプラント監視装置１０Ａとの相違点をより詳細に説明すると、ＭＷ制御プロセス実行手段１９Ｃにおいては、ＭＷ制御プロセス実行手段１９Ａのコマンド送信部２９の代わりにリスト表示コマンド送信部４５を備える点で相違する。また、ＯＷ制御プロセス実行手段２０Ｃにおいては、ＯＷ制御プロセス実行手段２０Ａのコマンド受信部３１の代わりにリスト表示コマンド受信部４６を、コマンド実行処理情報コピー部３５の代わりにリスト表示コマンド実行処理情報コピー部４７を、更にコマンド実行処理部３６の代わりにリスト表示コマンド実行処理部４８を備える点で相違する。
【００７０】
つまり、ＭＷ制御プロセス実行手段１９Ｃは、ＰＢ選択情報受信部２７と、ステータス更新部２８と、ＯＷ制御プロセス実行手段２０Ｃへリスト表示コマンドを送信するリスト表示コマンド送信部４５とを備え、このリスト表示コマンド送信部４５は、ＰＢ選択情報受信部２７から送信される選択コマンドをＯＷ制御プロセス実行手段２０Ｃへ送信する。例えば、第１のＰＢ選択情報受信部２７ａから第１のコマンド実行ボタンＰＢ１を選択した旨の選択コマンドを受信すると、第１のコマンド実行ボタンＰＢ１に対応するコマンド、すなわち、第１リスト表示コマンドをＯＷ制御プロセス実行手段２０Ｃへ送信する。
【００７１】
ＯＷ制御プロセス実行手段２０Ｃは、ＭＷ制御プロセス実行手段１９Ｃのリスト表示コマンド送信部４５から送信されたリスト表示コマンドを受信するリスト表示コマンド受信部４６と、リスト抽出キーファイル２５ｅ，２５ｆのコマンド実行処理情報（以下、リスト抽出キー情報とする）３２ｂおよびリスト抽出元ＤＢ２５ｇのコマンド実行処理情報（以下、リスト抽出元情報とする）３２ｃをコピーしてデータ保存領域３３に保存するリスト表示コマンド実行処理情報コピー部４７と、データ保存領域３３に格納されるリスト抽出キー情報３２ｂおよびリスト抽出元情報３２ｃを参照してリスト表示コマンドの実行処理を行うリスト表示コマンド実行処理部４８と、ウインドウ表示データ更新部３７とを備える。
【００７２】
リスト表示コマンド受信部４６は、ＭＷ制御プロセス実行手段１９Ｃのリスト表示コマンド送信部４５から送信されたリスト表示コマンドを受信する。
【００７３】
リスト表示コマンド実行処理情報コピー部４７は、リスト表示コマンド受信部４６から出力されたコマンドに基づいてリスト抽出キーファイル２５ｅ，２５ｆおよびリスト抽出元ＤＢ２５ｇを参照してコピーしてリスト表示コマンドの実行に必要なコマンド実行処理情報３２、すなわち、リスト抽出キー情報３２ｂおよびリスト抽出元情報３２ｃをデータ保存領域３３に保存することができる。
【００７４】
リスト表示コマンド実行処理部４８は、データ保存領域３３に格納されるリスト抽出キー情報３２ｂおよびリスト抽出元情報３２ｃを参照してリスト表示コマンドの実行処理を行う。
【００７５】
このように構成されるプラント監視装置１０Ｃによれば、図１のプラント監視装置１０Ａと同様に、ＯＷ制御プロセス実行手段２０Ｃが、データ保存領域３３に格納されるリスト抽出キー情報３２ｂおよびリスト抽出元情報３２ｃを参照してリスト表示コマンドを実行し、表示要求のあったリスト（本実施例では、第１のリストまたは第２のリスト）の表示情報を出力用ウインドウＯＷに送信するように構成されるので、表示要求のあったリストを表示する際に新たな出力用ウインドウＯＷが開くことがない。従って、不要な出力用ウインドウＯＷが表示画面上に残ることがなく、簡潔な画面表示を維持することができる。
【００７６】
次に、図６を参照して本発明の第３の実施形態に係るプラント監視方法について説明する。
【００７７】
図６は、本発明の第３の実施形態に係るプラント監視方法を説明する処理フロー図である。
【００７８】
本発明の第３の実施形態に係るプラント監視方法は、プラント監視装置１０Ｃが第３のプラント監視処理手順を実行することでなされ、第３のプラント監視処理手順は、メニューウインドウＭＷを制御する第３のＭＷ制御プロセスと、出力用ウインドウＯＷを制御する第３のＯＷ制御プロセスとを具備する。
【００７９】
第３のＭＷ制御プロセスは、第１のＭＷ制御プロセスと比較して、コマンドを送信するのがリスト表示コマンド送信部４５である点、送信するコマンドがリスト表示コマンドである点において異なる。しかしながら、処理ステップ自身には実質的に相違がない。つまり、選択コマンド生成ステップ（ステップＳ１）と、選択コマンド送信ステップ（ステップＳ２）とを備える点において実質的に一致している。従って、第３のＭＷ制御プロセスでは各処理ステップ毎の説明を省略する。
【００８０】
一方、第３のＯＷ制御プロセスは、第１のＯＷ制御プロセスと比較して、選択コマンド受信ステップで受信するおよびコマンド実行処理ステップで実行処理するコマンドがリスト表示コマンドである点で相違する。しかしながら、選択コマンド受信ステップ（ステップＳ３）と、コマンド実行処理情報コピーステップ（ステップＳ４）と、コマンド実行処理ステップ（ステップＳ５）と、ＯＷ表示更新ステップ（ステップＳ６）とを備える点において実質的に一致する。従って、第３のＯＷ制御プロセスでは各処理ステップ毎の説明を省略する。
【００８１】
本発明の第３の実施形態に係るプラント監視方法によれば、第３のプラント監視処理手順を実行するにあたり、第３のＯＷ制御プロセスにおいて、第３のＭＷ制御プロセスで生成された選択コマンドに対応したコマンドの実行に必要なコマンド実行処理情報３２、すなわち、リスト抽出キー情報３２ｂおよびリスト抽出元情報３２ｃをコピーしてデータ保存領域３３に格納した後に、データ保存領域３３へアクセスしてリスト表示コマンドを実行することができる。従って、新たなリスト表示コマンドの実行に伴い、新たな出力用ウインドウＯＷが開くことがなく、簡潔な画面表示を維持することができる。
【００８２】
［第４の実施形態］
本発明の第４の実施形態に係るプラント監視装置の一実施例であるプラント監視装置１０Ｄは、画面表示を行っても簡潔な画面表示をするように構成されたものである。
【００８３】
図７は、本発明の第４の実施形態に係る監視装置の一実施例であるプラント監視装置１０Ｄにおける機能構成図である。尚、プラント監視装置１０Ｂと実質的に相違しない箇所には同じ符号を付して説明を省略する。
【００８４】
プラント監視装置１０Ｄは、図３に示したプラント監視装置１０Ｂに対して、さらに、画面表示の順番を進めたり戻したりすることができるように構成される。具体的には、ＭＷ制御プロセス実行手段１９ＢおよびＯＷ制御プロセス実行手段２０Ｂの代わりに、ＭＷ制御プロセス実行手段１９ＤおよびＯＷ制御プロセス実行手段２０Ｄを具備する点において相違する。尚、その他の点については実質的に相違しない。
【００８５】
図７において、プラント監視装置１０Ｄでは、具体的な一例として、メニューウインドウＭＷに四つのコマンド実行ボタン、すなわち、第１のコマンド実行ボタンＰＢ１、第２のコマンド実行ボタンＰＢ２、画面の順番を先に送る（進める）前進コマンド実行ボタンＰＢ３および画面の順番を逆に送る（戻す）後進コマンド実行ボタンＰＢ４を有する場合を表している。
【００８６】
尚、コマンド実行処理ファイル２５に、第１の画面表示ファイル２５ｃ、第２の画面表示ファイル２５ｄを有する画面表示ファイルに加え、表示する画面と表示する順番とを対応付けた情報を有する画面表示順番ファイル２５ｈが格納されている。
【００８７】
図７を用いてプラント監視装置１０Ｄとプラント監視装置１０Ｂの相違をより詳細に説明すると、ＭＷ制御プロセス実行手段１９Ｄにおいては、ＭＷ制御プロセス実行手段１９Ｂに加え、画面表示前後進コマンド送信部５０をさらに備える点で相違する。また、ＯＷ制御プロセス実行手段２０Ｄにおいては、ＯＷ制御プロセス実行手段２０Ｂに加え、画面表示前後進コマンド受信部５１、画面表示順番情報コピー部５２および画面表示順番記憶部５３を備える点で相違する。
【００８８】
つまり、ＭＷ制御プロセス実行手段１９Ｄは、ＰＢ選択情報受信部２７（２７ａ，２７ｂ，２７ｃ，２７ｄ）と、ステータス更新部２８と、画面表示コマンド送信部４０と、ＯＷ制御プロセス実行手段２０Ｄへ画面表示前後進コマンドを送信する画面表示前後進コマンド送信部５０とを備える。
【００８９】
尚、第３のＰＢ選択情報受信部２７ｃは、第３のコマンド（画面表示前進）実行ボタンＰＢ３を選択したコマンド実行ボタン選択情報を受信するように構成され、第４のＰＢ選択情報受信部２７ｄは、第４のコマンド（画面表示後進）実行ボタンＰＢ４を選択したコマンド実行ボタン選択情報を受信するように構成されている。
【００９０】
画面表示前後進コマンド送信部５０は、ＰＢ選択情報受信部２７から送信される選択コマンドを受けて画面表示を前進させるコマンド（画面表示前進コマンド）または後進させるコマンド（画面表示後進コマンド）を生成してＯＷ制御プロセス実行手段２０Ｄへ送信する。尚、画面表示前進コマンドおよび画面表示後進コマンドを総括して画面表示前後進コマンドと称する。
【００９１】
例えば、第３のＰＢ選択情報受信部２７ｃから第３のコマンド実行ボタンＰＢ３を選択した旨の選択コマンドを受信すると、第３のコマンド実行ボタンＰＢ３に対応するコマンド、すなわち、画面表示前進コマンドをＯＷ制御プロセス実行手段２０Ｄへ送信する。
【００９２】
ＯＷ制御プロセス実行手段２０Ｄは、画面表示コマンド受信部４１、画面表示コマンド実行処理情報コピー部４２、画面表示コマンド実行処理部４３およびウインドウ表示データ更新部３７に加え、ＭＷ制御プロセス実行手段１９Ｄから送信される画面表示前後進コマンドを受信する画面表示前後進コマンド受信部５１と、この画面表示前後進コマンド受信部５１から出力されたコマンドに基づいて画面表示順番ファイル２５ｈのコマンド実行処理情報（以下、画面表示順番情報とする）３２ｄをコピーしてデータ保存領域３３に保存する画面表示順番情報コピー部５２と、この画面表示順番情報３２ｄから画面を表示する順番を記憶する画面表示順番記憶部５３とをさらに備える。
【００９３】
画面表示前後進コマンド受信部５１は、ＭＷ制御プロセス実行手段１９Ｄの画面表示前後進コマンド送信部５０から送信された画面表示前後進コマンドを受信する。
【００９４】
画面表示順番情報コピー部５２は、データ記録手段１６に格納される画面表示順番ファイル２５ｈを参照して画面表示前後進コマンドの実行に必要な情報である画面表示順番情報３２ｄをコピーしてデータ保存領域３３に保存することができる。
【００９５】
画面表示順番記憶部５３は、コピーしデータ保存領域３３に格納される画面表示順番情報３２ｄを参照して画面表示する順番を記憶する。
【００９６】
このように構成されるプラント監視装置１０Ｄによれば、ＯＷ制御プロセス実行手段２０Ｄが、データ保存領域３３に格納されるコマンド実行処理情報３２、すなわち、画面表示処理用情報３２ａおよび画面表示順番情報３２ｄを参照して画面表示前後進コマンドを実行し、画面表示順番の前進または後進を行った後の画面についての表示情報を出力用ウインドウＯＷに送信するように構成されるので、画面表示順番の前進または後進を行った後に不要な出力用ウインドウＯＷ（表示画面）が残ることなく、簡潔な画面表示を維持することができる。また、他にもプラント監視装置１０Ｂと同様の効果が得られる。
【００９７】
次に、図８を参照して本発明の第４の実施形態に係るプラント監視方法について説明する。
【００９８】
図８は、本発明の第４の実施形態に係るプラント監視方法を説明する処理フロー図である。
【００９９】
本発明の第４の実施形態に係るプラント監視方法は、プラント監視装置１０Ｄが第４のプラント監視処理手順を実行することでなされ、第４のプラント監視処理手順は、メニューウインドウＭＷを制御する第４のＭＷ制御プロセスと、出力用ウインドウＯＷを制御する第４のＯＷ制御プロセスとを具備する。
【０１００】
第４のＭＷ制御プロセスは、画面表示前後進コマンドについてのコマンド実行ボタン選択情報を受信して対応するコマンドを生成する画面表示前後進コマンド生成ステップ（ステップＳ１１）と、ＯＷ制御プロセス実行手段２０Ｄへ画面表示前後進コマンドを送信する画面表示前後進コマンド送信ステップ（ステップＳ１２）とを備える。
【０１０１】
また、第４のＯＷ制御プロセスは、ＭＷ制御プロセス実行手段１９Ｄから画面表示前後進コマンドを受信する画面表示前後進コマンド受信ステップ（ステップＳ１３）と、画面表示前後進コマンドを実行するための情報のうち、画面表示順番に関する情報（画面表示順番ファイル２５ｈが保有する情報）をコピーし画面表示順番情報３２ｄとしてデータ保存領域３３に格納する画面表示順番情報コピーステップ（ステップＳ１４）と、画面表示順番情報３２ｄを参照して画面表示する順番を記憶する画面表示順番記憶ステップ（ステップＳ１５）と、コマンド実行処理情報コピーステップ（ステップＳ４）と、コマンド実行処理ステップ（ステップＳ５）と、ＯＷ表示更新ステップ（ステップＳ６）とを備える。
【０１０２】
第４のプラント監視処理手順は、最初に任意の画面が表示されている状態から画面の順番を前進または後進する際になされるものであり、ユーザがメニューウインドウＭＷに表示される第３のコマンド（画面表示前進）実行ボタンＰＢ３または第４のコマンド（画面表示後進）実行ボタンＰＢ４を選択することにより、ＰＢ選択情報受信部２７ｃ，２７ｄが、コマンド実行ボタン選択情報を受信すると開始される。
【０１０３】
第４のプラント監視処理手順が開始されると、最初に、第４のＭＷ制御プロセス（ステップＳ１１〜ステップＳ１２）がなされる。第４のＭＷ制御プロセスでは、まず、ステップＳ１１で画面表示前後進コマンド生成ステップがなされ、ＰＢ選択情報受信部２７ｃ，２７ｄが画面表示前後進コマンドについてのコマンド実行ボタン選択情報を受信すると、対応するコマンドを生成する。すなわち、第３のＰＢ選択情報受信部２７ｃは、第３のコマンド（画面表示前進）実行ボタン選択情報を受信して画面表示前進コマンドを、第４のＰＢ選択情報受信部２７ｄは、第４のコマンド（画面表示後進）実行ボタン選択情報を受信して画面表示後進コマンドを生成する。
【０１０４】
ＰＢ選択情報受信部２７ｃ，２７ｄがコマンド実行ボタン選択情報に対応する画面表示前後進コマンドを生成すると、画面表示前後進コマンド生成ステップを完了し、続いて、ステップＳ１２で画面表示前後進コマンド送信ステップがなされる。
【０１０５】
画面表示前後進コマンド送信ステップ（ステップＳ１２）では、画面表示前後進コマンド送信部５０が、ＰＢ選択情報受信部２７ｃ，２７ｄから受信した画面表示前後進コマンドをＯＷ制御プロセス実行手段２０Ｄへ送信する。画面表示前後進コマンド送信部５０が、ＯＷ制御プロセス実行手段２０Ｄへ画面表示前後進コマンドを送信すると、画面表示前後進コマンド送信ステップを完了する。そして、画面表示前後進コマンド送信ステップの完了をもって、第４のＭＷ制御プロセスも完了する。
【０１０６】
第４のＭＷ制御プロセスが完了すると、次に、第４のＯＷ制御プロセス（ステップＳ１３〜ステップＳ６）がなされる。第４のＯＷ制御プロセスでは、まず、ステップＳ１３で画面表示前後進コマンド受信ステップがなされ、ＭＷ制御プロセス実行手段１９Ｄから送信される画面表示前後進コマンドを画面表示前後進コマンド受信部５１が受信する。そして、画面表示前後進コマンド受信部５１が受信した画面表示前後進コマンドを画面表示順番情報コピー部５２へ送る。
【０１０７】
画面表示前後進コマンドが、画面表示前後進コマンド受信部５１から画面表示順番情報コピー部５２へ送られると、画面表示前後進コマンド受信ステップは完了する。画面表示前後進コマンド受信ステップが完了すると、続いて、ステップＳ１４で画面表示順番情報コピーステップがなされる。
【０１０８】
画面表示順番情報コピーステップ（ステップＳ１４）では、画面表示順番情報コピー部５２が、画面表示前後進コマンドを実行するための情報のうち、画面表示順番に関する情報（画面表示順番ファイル２５ｈが保有する情報）をコピーし画面表示順番情報３２ｄとしてデータ保存領域３３に格納する。画面表示順番情報３２をデータ保存領域３３に格納すると、画面表示順番情報コピーステップは完了し、続いて、ステップＳ１５で画面表示順番記憶ステップがなされる。
【０１０９】
画面表示順番記憶ステップ（ステップＳ１５）では、画面表示順番記憶部５３が、データ保存領域３３に格納される画面表示順番情報３２ｄを参照して画面表示する順番を記憶する。画面表示順番記憶部５３が、画面表示する順番を記憶すると、画面表示順番記憶ステップは完了し、続いて、ステップＳ４に進み、コマンド実行処理情報コピーステップがなされる。
【０１１０】
コマンド実行処理情報コピーステップ（ステップＳ４）では、画面表示コマンド実行処理情報コピー部４２が画面表示前後進コマンドを実行するための情報のうち、画面表示に関する情報（第１の画面表示ファイル２５ｃおよび第２の画面表示ファイル２５ｄが保有する情報）を画面表示処理用情報３２ａとしてデータ保存領域３３に格納する。
【０１１１】
コマンド実行処理情報コピーステップ（ステップＳ４）以降は、第１のＯＷ制御プロセスと同様にして、コマンド実行処理ステップ（ステップＳ５）およびＯＷ表示更新ステップ（ステップＳ６）が順次なされる。そして、ＯＷ表示更新ステップが完了すると、第４のＯＷ制御プロセスも完了し、第４のＯＷ制御プロセスの完了をもって、第４のプラント監視処理手順の全プロセスは完了する。
【０１１２】
本発明の第４の実施形態に係るプラント監視方法によれば、第４のプラント監視処理手順を実行するにあたり、第４のＯＷ制御プロセスにおいて、第４のＭＷ制御プロセスで生成された選択コマンドに対応したコマンドの実行に必要なコマンド実行処理情報３２をコピーしてデータ保存領域３３に格納した後に、データ保存領域３３へアクセスして画面表示コマンドを実行することができる。従って、新たな画面表示コマンドの実行に伴い、新たな出力用ウインドウＯＷが開くことがなく、簡潔な画面表示を維持することができる。
【０１１３】
［第５の実施形態］
本発明の第５の実施形態に係るプラント監視装置の一実施例であるプラント監視装置１０Ｅは、リスト表示を行っても簡潔な画面表示をするように構成されたものである。
【０１１４】
図９は、本発明の第５の実施形態に係る監視装置の一実施例であるプラント監視装置１０Ｅにおける機能構成図である。
【０１１５】
プラント監視装置１０Ｅは、図５のプラント監視装置１０Ｃに対して、さらに、リスト表示の順番を進めたり戻したりすることができるように構成された装置である。プラント監視装置１０Ｅとプラント監視装置１０Ｃとの関係は、プラント監視装置１０Ｂに対するプラント監視装置１０Ｄの関係と類似している。従って、プラント監視装置１０Ｅに関して、プラント監視装置１０Ｃ、１０Ｄと実質的に相違しない箇所には同じ符号を付して説明を省略する。
【０１１６】
プラント監視装置１０Ｅは、プラント監視装置１０ＣのＭＷ制御プロセス実行手段１９ＣおよびＯＷ制御プロセス実行手段２０Ｃの代わりに、ＭＷ制御プロセス実行手段１９ＥおよびＯＷ制御プロセス実行手段２０Ｅを具備する点において相違するが、その他の点については実質的に相違しない。
【０１１７】
図９において、プラント監視装置１０Ｅでは、具体的な一例として、メニューウインドウＭＷに四つのコマンド実行ボタン、すなわち、第１のコマンド実行ボタンＰＢ１、第２のコマンド実行ボタンＰＢ２、表示するリストの順番を先に送る（進める）前進コマンド実行ボタンＰＢ３および表示するリストの順番を逆に送る（戻す）後進コマンド実行ボタンＰＢ４を有する場合を表している。
【０１１８】
尚、コマンド実行処理ファイル２５に、第１のリスト抽出キーファイル２５ｅ、第２のリスト抽出キーファイル２５ｆ、リスト抽出元ＤＢ２５ｇに加え、表示するリストと表示する順番とを対応付けた情報を有するフィルタリング項目順番ファイル２５ｉが格納されている。ここで、フィルタリング項目とは、リストの表示項目の属するグループを指定してそのグループだけの項目を表示させるためのキーをいう。
【０１１９】
図９を用いてプラント監視装置１０Ｅと図５に示したプラント監視装置１０Ｃの相違をより詳細に説明すると、ＭＷ制御プロセス実行手段１９Ｅにおいては、図５のＭＷ制御プロセス実行手段１９Ｃに加え、フィルタリング前後進コマンド送信部５６を備える点で相違する。また、ＯＷ制御プロセス実行手段２０Ｅにおいては、図５のＯＷ制御プロセス実行手段２０Ｃに加え、フィルタリング前後進コマンド受信部５７、フィルタリング項目順番情報コピー部５８およびフィルタリング項目順番記憶部５９を備える点で相違する。
【０１２０】
つまり、ＭＷ制御プロセス実行手段１９Ｅは、ＰＢ選択情報受信部２７（２７ａ，２７ｂ，２７ｃ，２７ｄ）と、ＰＢステータス更新部２８と、リスト表示コマンド送信部４５と、ＯＷ制御プロセス実行手段２０Ｅへリスト表示を前後進させるコマンド（フィルタリング前後進コマンド）を送信するフィルタリング前後進コマンド送信部５６とを備える。尚、第３のＰＢ選択情報受信部２７ｃは、第３のコマンド（リスト表示前進）実行ボタンＰＢ３を選択したコマンド実行ボタン選択情報を受信するように構成され、第４のＰＢ選択情報受信部２７ｄは、第４のコマンド（リスト表示後進）実行ボタンＰＢ４を選択したコマンド実行ボタン選択情報を受信するように構成されている。
【０１２１】
フィルタリング前後進コマンド送信部５６は、ＰＢ選択情報受信部２７から送信される選択コマンドを受けてリスト表示を前進させるフィルタリング表示前進コマンドまたは後進させるフィルタリング後進コマンドを生成してＯＷ制御プロセス実行手段２０Ｅへ送信する。尚、フィルタリング前進コマンドおよびフィルタリング後進コマンドを総括してフィルタリング前後進コマンドと称する。
【０１２２】
例えば、第３のＰＢ選択情報受信部２７ｃから第３のコマンド実行ボタンＰＢ３を選択した旨の選択コマンドを受信すると、第３のコマンド実行ボタンＰＢ３に対応するコマンド、すなわち、フィルタリング前進コマンドをＯＷ制御プロセス実行手段２０Ｅへ送信する。
【０１２３】
ＯＷ制御プロセス実行手段２０Ｅは、リスト表示コマンド受信部４６、リスト表示コマンド実行処理情報コピー部４７、リスト表示コマンド実行処理部４８およびウインドウ表示データ更新部３７に加え、ＭＷ制御プロセス実行手段１９Ｅから送信されるフィルタリング前後進コマンドを受信するフィルタリング前後進コマンド受信部５７と、フィルタリング項目順番ファイル２５ｉのコマンド実行処理情報（以下、フィルタリング項目順番情報とする）３２ｅをコピーしてデータ保存領域３３に保存するフィルタリング項目順番情報コピー部５８と、このフィルタリング項目順番情報３２ｅからリスト表示順番を記憶するフィルタリング項目順番記憶部５９とをさらに備える。
【０１２４】
フィルタリング前後進コマンド受信部５７は、ＭＷ制御プロセス実行手段１９Ｅのフィルタリング前後進コマンド送信部５６から送信されたフィルタリング前後進コマンドを受信する。
【０１２５】
フィルタリング項目順番情報コピー部５８は、前記フィルタリング前後進コマンドに基づいてフィルタリング項目順番ファイル２５ｉを参照し、フィルタリング前後進コマンドの実行に必要な情報であるフィルタリング項目順番情報３２ｅをコピーしてデータ保存領域３３に保存することができる。
【０１２６】
フィルタリング項目順番記憶部５９は、コピーされデータ保存領域３３に格納されているフィルタリング項目順番情報３２ｅを参照してリスト表示する順番を記憶する。
【０１２７】
このように構成されるプラント監視装置１０Ｅによれば、ＯＷ制御プロセス実行手段２０Ｅが、データ保存領域３３に格納されているコマンド実行処理情報３２、すなわち、リスト抽出キー情報３２ｂおよびフィルタリング項目順番情報３２ｅを参照してフィルタリング前後進コマンドを実行し、リスト表示する順番の前進または後進を行った後の表示情報を出力用ウインドウＯＷに送信するように構成されるので、リスト表示する順番の前進または後進を行った後に不要な出力用ウインドウＯＷ（表示画面）が残ることなく、簡潔な画面表示を維持することができる。また、他にもプラント監視装置１０Ｃと同様の効果が得られる。
【０１２８】
次に、図１０を参照して本発明の第５の実施形態に係るプラント監視方法について説明する。
【０１２９】
図１０は、本発明の第５の実施形態に係るプラント監視方法を説明する処理フロー図である。
【０１３０】
本発明の第５の実施形態に係るプラント監視方法は、プラント監視装置１０Ｅが第５のプラント監視処理手順を実行することでなされ、第５のプラント監視処理手順は、メニューウインドウＭＷを制御する第５のＭＷ制御プロセスと、出力用ウインドウＯＷを制御する第５のＯＷ制御プロセスとを具備する。
【０１３１】
第５のＭＷ制御プロセスは、フィルタリング前後進コマンドについてのコマンド実行ボタン選択情報を受信して、対応するコマンドを生成するフィルタリング前後進コマンド生成ステップ（ステップＳ２１）と、ＯＷ制御プロセス実行手段２０Ｅへフィルタリング前後進コマンドを送信するフィルタリング前後進コマンド送信ステップ（ステップＳ２２）とを備える。
【０１３２】
また、第５のＯＷ制御プロセスは、ＭＷ制御プロセス実行手段１９Ｅからフィルタリング前後進コマンドを受信するフィルタリング前後進コマンド受信ステップ（ステップＳ２３）と、フィルタリング前後進コマンドを実行するための情報のうち、フィルタリング項目の順番に関する情報（フィルタリング項目順番ファイル２５ｉが保有する情報）をコピーしフィルタリング順番情報３２ｅとしてデータ保存領域３３に格納するフィルタリング前後進コマンド実行処理情報コピーステップ（ステップＳ２４）と、フィルタリング項目順番情報３２ｅを参照してリスト表示する順番を記憶するフィルタリング項目順番記憶ステップ（ステップＳ２５）と、コマンド実行処理情報コピーステップ（ステップＳ４）と、コマンド実行処理ステップ（ステップＳ５）と、ＯＷ表示更新ステップ（ステップＳ６）とを備える。
【０１３３】
第５のプラント監視処理手順は、最初に任意のリストが表示されている状態からリストの順番を前進または後進する際になされるものであり、ユーザがメニューウインドウＭＷに表示される第３のコマンド（リスト表示前進）実行ボタンＰＢ３または第４のコマンド（リスト表示後進）実行ボタンＰＢ４を選択することにより、ＰＢ選択情報受信部２７ｃ，２７ｄが、コマンド実行ボタン選択情報を受信すると開始される。
【０１３４】
第５のプラント監視処理手順が開始されると、最初に、第５のＭＷ制御プロセス（ステップＳ２１〜ステップＳ２２）がなされる。第５のＭＷ制御プロセスでは、まず、ステップＳ２１でフィルタリング前後進コマンド生成ステップがなされ、ＰＢ選択情報受信部２７ｃ，２７ｄがフィルタリング前後進コマンドについてのコマンド実行ボタン選択情報を受信すると、受信した情報に対応するコマンドを生成する。すなわち、第３のＰＢ選択情報受信部２７ｃは、第３のコマンド（リスト表示前進）実行ボタン選択情報を受信してフィルタリング前進コマンドを、第４のＰＢ選択情報受信部２７ｄは、第４のコマンド（リスト表示後進）実行ボタン選択情報を受信して画面表示後進コマンドを生成する。
【０１３５】
ＰＢ選択情報受信部２７ｃ，２７ｄがコマンド実行ボタン選択情報に対応するフィルタリング前後進コマンドを生成すると、フィルタリング前後進コマンド生成ステップを完了し、続いて、ステップＳ２２でフィルタリング前後進コマンド送信ステップがなされる。
【０１３６】
フィルタリング前後進コマンド送信ステップ（ステップＳ２２）では、フィルタリング前後進コマンド送信部５６が、ＰＢ選択情報受信部２７ｃ，２７ｄから受信したフィルタリング前後進コマンドをＯＷ制御プロセス実行手段２０Ｅへ送信する。フィルタリング前後進コマンド送信部５６が、ＯＷ制御プロセス実行手段２０Ｅへフィルタリング前後進コマンドを送信すると、フィルタリング前後進コマンド送信ステップを完了する。そして、フィルタリング前後進コマンド送信ステップの完了をもって、第５のＭＷ制御プロセスも完了する。
【０１３７】
第５のＭＷ制御プロセスが完了すると、次に、第５のＯＷ制御プロセス（ステップＳ２３〜ステップＳ６）がなされる。第５のＯＷ制御プロセスでは、まず、ステップＳ２３でフィルタリング前後進コマンド受信ステップがなされる。
【０１３８】
フィルタリング前後進コマンド受信ステップ（ステップＳ２３）では、まず、ＭＷ制御プロセス実行手段１９Ｅから送信されるフィルタリング前後進コマンドをフィルタリング前後進コマンド受信部５７が受信する。そして、フィルタリング前後進コマンド受信部５７は、受信したフィルタリング前後進コマンドをフィルタリング項目順番情報コピー部５８へ送る。
【０１３９】
フィルタリング前後進コマンドがフィルタリング項目順番情報コピー部５８へ送られると、フィルタリング前後進コマンド受信ステップは完了する。フィルタリング前後進コマンド受信ステップが完了すると、続いて、ステップＳ２４でフィルタリング項目順番情報コピーステップがなされる。
【０１４０】
フィルタリング項目順番情報コピーステップ（ステップＳ２４）では、フィルタリング項目順番情報コピー部５８が、フィルタリング前後進コマンドを実行するための情報のうち、フィルタリング項目順番に関する情報（フィルタリング項目順番ファイル２５ｉが保有する情報）をコピーしフィルタリング項目順番情報３２ｅとしてデータ保存領域３３に格納する。フィルタリング項目順番情報３２ｅをデータ保存領域３３に格納すると、フィルタリング項目順番情報コピーステップは完了し、続いて、ステップＳ２５でフィルタリング項目順番記憶ステップがなされる。
【０１４１】
フィルタリング項目順番記憶ステップ（ステップＳ２５）では、フィルタリング項目順番記憶部５９が、データ保存領域３３に格納されるフィルタリング項目順番情報３２ｅを参照してリスト表示する順番を記憶する。フィルタリング項目順番記憶部５９が、リスト表示する順番を記憶すると、フィルタリング項目順番記憶ステップは完了し、続いて、ステップＳ４に進み、コマンド実行処理情報コピーステップがなされる。
【０１４２】
コマンド実行処理情報コピーステップ（ステップＳ４）では、リスト表示コマンド実行処理情報コピー部４７がフィルタリング前後進コマンドを実行するための情報のうち、リスト表示に関する情報（第１のリスト抽出キーファイル２５ｅおよび第２のリスト抽出キーファイル２５ｆとリスト抽出元ＤＢ２５ｇが保有する情報）をそれぞれリスト抽出キー情報３２ｂおよびリスト抽出元情報３２ｃとしてデータ保存領域３３に格納する。
【０１４３】
コマンド実行処理情報コピーステップ（ステップＳ４）以降は、第１のＯＷ制御プロセスと同様にして、コマンド実行処理ステップ（ステップＳ５）およびＯＷ表示更新ステップ（ステップＳ６）が順次なされる。そして、ＯＷ表示更新ステップが完了すると、第５のＯＷ制御プロセスも完了し、第５のＯＷ制御プロセスの完了をもって、第５のプラント監視処理手順の全プロセスは完了する。
【０１４４】
本発明の第５の実施形態に係るプラント監視方法によれば、第５のプラント監視処理手順を実行するにあたり、第５のＯＷ制御プロセスにおいて、第５のＭＷ制御プロセスで生成された選択コマンドに対応したコマンドの実行に必要なコマンド実行処理情報３２をコピーしてデータ保存領域３３に格納した後に、データ保存領域３３へアクセスしてフィルタリング前後進コマンドを実行することができる。従って、新たなフィルタリング前後進コマンドの実行に伴い、新たな出力用ウインドウＯＷが開くことがなく、簡潔な画面表示を維持することができる。
【０１４５】
［第６の実施形態］
本発明の第６の実施形態に係るプラント監視装置の一実施例であるプラント監視装置１０Ｆは、リスト表示を行っても簡潔な画面表示をするように構成されたものである。
【０１４６】
図１１は、本発明の第６の実施形態に係る監視装置の一実施例であるプラント監視装置１０Ｆにおける機能構成図である。
【０１４７】
プラント監視装置１０Ｆは、図９に示したプラント監視装置１０Ｅに対して、さらに、リスト表示の順番を進めたり戻したりすることができるフィルタリング処理を並列的に行えるように構成された装置である。従って、プラント監視装置１０Ｅと実質的に相違しない箇所には同じ符号を付して説明を省略する。
【０１４８】
プラント監視装置１０Ｆは、プラント監視装置１０ＥのＭＷ制御プロセス実行手段１９ＥおよびＯＷ制御プロセス実行手段２０Ｅの代わりに、ＭＷ制御プロセス実行手段１９ＦおよびＯＷ制御プロセス実行手段２０Ｆを具備する点において相違するが、その他の点については実質的に相違しない。
【０１４９】
図１１において、プラント監視装置１０Ｆでは、具体的な一例として、メニューウインドウＭＷに六つのコマンド実行ボタン、すなわち、第１のコマンド実行ボタンＰＢ１、第２のコマンド実行ボタンＰＢ２に加え、第１のフィルタリングレベルで表示するリストの順番を先に送る（進める）前進コマンド実行ボタンＰＢ３および表示するリストの順番を逆に送る（戻す）後進コマンド実行ボタンＰＢ４と、第２のフィルタリングレベルで表示するリストの順番を先に送る前進コマンド実行ボタンＰＢ５および表示するリストの順番を逆に送る後進コマンド実行ボタンＰＢ６とを有する場合を表している。
【０１５０】
尚、コマンド実行処理ファイル２５に、第１のリスト抽出キーファイル２５ｅ、第２のリスト抽出キーファイル２５ｆ、リスト抽出元ＤＢ２５ｇに加え、第１のフィルタリングレベルで表示するリストと表示する順番とを対応付けた情報を有する第１のフィルタリング項目順番ファイル２５ｉａおよび第２のフィルタリングレベルで表示するリストと表示する順番とを対応付けた情報を有する第２のフィルタリング項目順番ファイル２５ｉｂが格納されている。
【０１５１】
図１１を用いてプラント監視装置１０Ｆとプラント監視装置１０Ｅの相違をより詳細に説明すると、ＭＷ制御プロセス実行手段１９Ｆは、ＭＷ制御プロセス実行手段１９Ｅに対して、ＯＷ制御プロセス実行手段２０Ｆへリスト表示を前後進させるコマンド（フィルタリング前後進コマンド）を送信するフィルタリング前後進コマンド送信部５６をフィルタリングレベルの設定数と同数個（本図においては二つ）備える点で相違する。
【０１５２】
具体的に説明すれば、ＰＢ選択情報受信部２７（２７ａ，２７ｂ，２７ｃ，２７ｄ，２７ｅ，２７ｆ）と、ステータス更新部２８と、ＯＷ制御プロセス実行手段２０Ｆへリスト表示を前後進させるコマンド（フィルタリング前後進コマンド）を送信するフィルタリング前後進コマンド送信部５６とを備える。
【０１５３】
尚、第３のＰＢ選択情報受信部２７ｃ、第４のＰＢ選択情報受信部２７ｄ、第５のＰＢ選択情報受信部２７ｅおよび第６のＰＢ選択情報受信部２７ｆは、それぞれ、第３、第４、第５および第６のコマンド実行ボタンＰＢ３，ＰＢ４，ＰＢ５，ＰＢ６を選択したコマンド実行ボタン選択情報を受信するように構成されている。
【０１５４】
また、ＭＷ制御プロセス実行手段１９Ｆのフィルタリング前後進コマンド送信部５６は、第１のフィルタリングレベルに関してフィルタリング前進コマンドおよびフィルタリング後進コマンドをＯＷ制御プロセス実行手段２０Ｆへ送信する第１のフィルタリング前後進コマンド送信部５６ａと、第２のフィルタリングレベルに関してフィルタリング前進コマンドおよびフィルタリング後進コマンドをＯＷ制御プロセス実行手段２０Ｆへ送信する第２のフィルタリング前後進コマンド送信部５６ｂとを有する。
【０１５５】
さらに、ＭＷ制御プロセス実行手段１９Ｆにおいて、フィルタリングレベルの設定数は、少なくとも１以上の任意数で良いが、フィルタリングレベルの設定数が１の場合には、ＭＷ制御プロセス実行手段１９ＦとＭＷ制御プロセス実行手段１９Ｅとは実質的に同じとなる。
【０１５６】
一方、ＯＷ制御プロセス実行手段２０ＥおよびＯＷ制御プロセス実行手段２０Ｆにおいては、フィルタリング前後進コマンド受信部５７、フィルタリング項目順番情報コピー部５８およびフィルタリング項目順番記憶部５９の各々をフィルタリングレベル毎に備える点で相違する。
【０１５７】
つまり、図１１に示す例のようにフィルタリングレベルの設定数が２の場合、ＯＷ制御プロセス実行手段２０Ｆは、第１のフィルタリングレベルについて、第１のフィルタリング前後進コマンド受信部５７ａ、第１のフィルタリング項目順番情報コピー部５８ａおよび第１のフィルタリング項目順番記憶部５９ａとを備え、第２のフィルタリングレベルについて、第２のフィルタリング前後進コマンド受信部５７ｂ、第２のフィルタリング項目順番情報コピー部５８ｂおよび第２のフィルタリング項目順番記憶部５９ｂとを備える。
【０１５８】
第１のフィルタリング前後進コマンド受信部５７ａは、第１のフィルタリング前後進コマンド送信部５６ａから送信された第１のフィルタリング前後進コマンドを受信する。同様に、第２のフィルタリング前後進コマンド受信部５７ｂは、第２のフィルタリング前後進コマンド送信部５６ｂから第２のフィルタリング前後進コマンドを受信する。
【０１５９】
そして、第１のフィルタリング項目順番情報コピー部５８ａは、第１のフィルタリング項目順番ファイル２５ｉａのコマンド実行処理情報（以下、第１のフィルタリング項目順番情報とする）３２ｅａをコピーしてデータ保存領域３３に保存する。同様に、第２のフィルタリング項目順番情報コピー部５８ｂは、第２のフィルタリング項目順番ファイル２５ｉｂのコマンド実行処理情報（以下、第２のフィルタリング項目順番情報とする）３２ｅｂをコピーしてデータ保存領域３３に保存する。
【０１６０】
第１のフィルタリング項目順番記憶部５９ａは、データ保存領域３３に保存される第１のフィルタリング項目順番情報３２ｅａからリスト表示順番を記憶する。同様に、第２のフィルタリング項目順番記憶部５９ｂは、データ保存領域３３に保存される第２のフィルタリング項目順番情報３２ｅｂからリスト表示順番を記憶する。
【０１６１】
このように構成されるプラント監視装置１０Ｆによれば、ＯＷ制御プロセス実行手段２０Ｆが、データ保存領域３３に格納されるコマンド実行処理情報３２、すなわち、リスト抽出キー情報３２ｂ、リスト抽出元情報３２ｃおよびフィルタリング項目順番情報３２ｅを参照して、各フィルタリングレベル毎にフィルタリング前後進コマンドを実行し、リスト表示する順番の前進または後進を行った後の表示情報を出力用ウインドウＯＷに送信するように構成されるので、各フィルタリングレベル毎にリスト表示する順番の前進または後進を行った後であっても不要な出力用ウインドウＯＷ（表示画面）が残ることなく、簡潔な画面表示を維持することができる。
【０１６２】
また、異なるフィルタリングレベルにおいてリスト表示の順番を前後させることができるので、既に説明したプラント監視装置１０Ｅよりもユーザの利便性を向上させることができる。他にもプラント監視装置１０Ｅと同様の効果が得られる。
【０１６３】
次に、本発明の第６の実施形態に係るプラント監視方法について説明する。
【０１６４】
本発明の第６の実施形態に係るプラント監視方法は、プラント監視装置１０Ｆが第６のプラント監視処理手順を実行することでなされる。第６のプラント監視処理手順は、第５のプラント監視処理手順と同様に、メニューウインドウＭＷを制御する第６のＭＷ制御プロセスと、出力用ウインドウＯＷを制御する第６のＯＷ制御プロセスとを具備する。
【０１６５】
第６のＭＷ制御プロセスおよび第６のＯＷ制御プロセスは、第５のＭＷ制御プロセスおよび第５のＯＷ制御プロセスがそれぞれ並列的になされる点において相違するが、その他の点については実質的に相違しない。従って、第５のＭＷ制御プロセスおよび第５のＯＷ制御プロセスの説明をもって、第６のＭＷ制御プロセスおよび第６のＯＷ制御プロセスの説明に代えるものとする。
【０１６６】
本発明の第６の実施形態に係るプラント監視方法によれば、第６のプラント監視処理手順を実行するにあたり、第６のＯＷ制御プロセスにおいて、第６のＭＷ制御プロセスで生成された選択コマンドに対応したコマンドの実行に必要なコマンド実行処理情報３２、すなわち、リスト抽出キー情報３２ｂ、リスト抽出元情報３２ｃおよびフィルタリング項目順番情報３２ｅａ，３２ｅｂをデータ保存領域３３に格納した後に、データ保存領域３３にアクセスして、各フィルタリングレベル毎にフィルタリング前後進コマンドを実行することができる。従って、各フィルタリングレベル毎にリスト表示する順番の前進または後進を行った後であっても不要な出力用ウインドウＯＷ（表示画面）が残ることなく、簡潔な画面表示を維持することができる。
【０１６７】
［第７の実施形態］
本発明の第７の実施形態に係るプラント監視装置の一実施例であるプラント監視装置１０Ｇは、コマンドを実行しても簡潔な画面を維持するように構成されたものである。
【０１６８】
図１２は、本発明の第７の実施形態に係る監視装置の一実施例であるプラント監視装置１０Ｇにおける機能構成図である。
【０１６９】
プラント監視装置１０Ｇは、図１に示したプラント監視装置１０Ａに、コマンドに応じて複数個用意されている出力用ウインドウＯＷの中から該当する出力用ウインドウＯＷを選択して（切り替えて）表示し得るようにした構成を付加したものである。従って、プラント監視装置１０Ａと実質的に相違しない箇所には同じ符号を付して説明を省略する。
【０１７０】
図１２に示すプラント監視装置１０Ｇでは、一例として、メニューウインドウＭＷに四つのコマンド実行ボタン、すなわち、第１のコマンド実行ボタンＰＢ１、第２のコマンド実行ボタンＰＢ２、第３のコマンド実行ボタンＰＢ３および第４のコマンド実行ボタンＰＢ４を有する。また、これらのコマンドのうち、第３のコマンドおよび第４のコマンドは、出力先である出力用ウインドウＯＷの切り替えを行うためのコマンド（以下、ＯＷ選択コマンドとする）であり、第３のコマンドを第１の出力用ウインドウＯＷ１を出力先として選択するＯＷ１選択コマンドとし、第４のコマンドを第２の出力用ウインドウＯＷ２を出力先として選択するＯＷ２選択コマンドとして説明する。
【０１７１】
尚、本来は出力用ウインドウＯＷを追加したり削除するコマンドを実行するコマンド実行ボタンもメニューウインドウＭＷにあるのだが、図面および説明の簡略化の観点からここでは省略している。また、出力先ウインドウＯＷが二つ（複数の一例）ある場合を表しているが、出力先ウインドウＯＷの個数は二つに限らず任意の複数個で良い。
【０１７２】
プラント監視装置１０Ｇでは、コマンドの実行結果を出力する先を複数ある出力用ウインドウＯＷのうち任意の出力用ウインドウＯＷを選択する必要がある。このため、プラント監視装置１０ＧのＭＷ制御プロセス実行手段１９Ｇは、ＭＷ制御プロセス実行手段１９Ａに対して、コマンドを送信先となる出力先ウインドウＯＷを切り替える出力先ウインドウ切替部６１をさらに備える。
【０１７３】
すなわち、図１２に示す例では、ＭＷ制御プロセス実行手段１９Ｇは、ＰＢ選択情報受信部２７（２７ａ，２７ｂ，２７ｃ，２７ｄ）と、ステータス更新部２８と、ＯＷ制御プロセス実行手段２０Ｇへコマンドを送信するコマンド送信部２９と、出力先ウインドウ切替部６１とを備える。
【０１７４】
ここで、第３のＰＢ選択情報受信部２７ｃは、第３のコマンド（ＯＷ１選択コマンド）実行ボタンＰＢ３を選択したときに出力されるコマンド実行ボタン選択情報を受信するように構成され、第４のＰＢ選択情報受信部２７ｄは、第４のコマンド（ＯＷ２選択コマンド）実行ボタンＰＢ４を選択したときに出力されるコマンド実行ボタン選択情報を受信するように構成されている。
【０１７５】
ＭＷ制御プロセス実行手段１９Ｇの出力先ウインドウ切替部６１は、第３のＰＢ選択情報受信部２７ｃまたは第４のＰＢ選択情報受信部２７ｄから出力されたＯＷ選択コマンドを受け取り、ＯＷ選択コマンド以外のコマンドを送信する相手の切り替えを行う。
【０１７６】
また、ＯＷ制御プロセス実行手段２０Ｇは、出力用ウインドウＯＷの個数と同数のＯＷ制御プロセス実行手段２０Ａを備える。つまり、図１２に示すＯＷ制御プロセス実行手段２０Ｇは、選択されたコマンドを実行して第１の出力用ウインドウＯＷ１に実行結果を出力するＯＷ１制御プロセス実行手段２０Ａ１と、第２の出力用ウインドウＯＷ２に実行結果を出力するＯＷ２制御プロセス実行手段２０Ａ２とを備える。
【０１７７】
つまり、ＭＷ制御プロセス実行手段１９Ｇがコマンドを送信する相手は、ＯＷ制御プロセス実行手段２０Ｇに備えられるＯＷ１制御プロセス実行手段２０Ａ１か、ＯＷ２制御プロセス実行手段２０Ａ２である。
【０１７８】
ＯＷ１制御プロセス実行手段２０Ａ１は、ＭＷ制御プロセス実行手段１９Ｇからコマンドを受け取り、所定のコマンドを実行した後、実行結果を出力用ウインドウＯＷ１に出力する。また、ＯＷ２制御プロセス実行手段２０Ａ２は、ＭＷ制御プロセス実行手段１９Ｇからコマンドを受け取り、所定のコマンドを実行した後、実行結果を出力用ウインドウＯＷ２に出力する。
【０１７９】
プラント監視装置１０Ｇは、ＭＷ制御プロセス実行手段１９ＧおよびＯＷ制御プロセス実行手段２０Ｇを具備し、ＭＷ制御プロセス実行手段１９Ｇが出力先ウインドウ切替部６１を備えるので、当初（コマンド実行要求時）から存在する複数の出力用ウインドウＯＷのうち、一の出力用ウインドウＯＷを選択してコマンド実行結果を表示させることができる。
【０１８０】
また、ＯＷ制御プロセス実行手段２０Ｇは、データ保存領域３３に格納されるコマンド実行処理情報３２を参照してコマンドを実行し、実行結果に係る表示情報を出力用ウインドウＯＷに送信するように構成されるので、不要な出力用ウインドウＯＷが表示画面上に残ることなく、簡潔な画面表示を維持することができる。
【０１８１】
次に、図１３を参照して本発明の第７の実施形態に係るプラント監視方法について説明する。
【０１８２】
図１３は、本発明の第７の実施形態に係るプラント監視方法を説明する処理フロー図である。
【０１８３】
本発明の第７の実施形態に係るプラント監視方法は、プラント監視装置１０Ｇが第７のプラント監視処理手順を実行することでなされ、第７のプラント監視処理手順は、メニューウインドウＭＷを制御する第７のＭＷ制御プロセスと、出力用ウインドウＯＷを制御する第７のＯＷ制御プロセスとを具備する。
【０１８４】
第７のＭＷ制御プロセスは、図１に示した第１のＭＷ制御プロセスに対して、ＰＢ選択情報受信部２７から出力されるコマンドが、ステップＳ３０においてウインドウを切り替えるＯＷ選択コマンドの場合（ステップＳ３０でＹＥＳの場合）に出力先ウインドウの切り替えを行う出力先ウインドウ切替ステップ（ステップＳ３１）をさらに備える。すなわち、第７のＭＷ制御プロセスは、選択コマンド生成ステップ（ステップＳ１）と、出力先ウインドウ切替ステップ（ステップＳ３１）と、選択コマンド送信ステップ（ステップＳ２）とを備える。
【０１８５】
また、第７のＯＷ制御プロセスは、実質的に第１のＯＷ制御プロセスと同じである。すなわち、第７のＯＷ制御プロセスは、選択コマンド受信ステップ（ステップＳ３）と、コマンド実行処理情報コピーステップ（ステップＳ４）と、コマンド実行処理ステップ（ステップＳ５）と、ＯＷ表示更新ステップ（ステップＳ６）とを備える。
【０１８６】
第７のプラント監視処理手順は、ユーザがメニューウインドウＭＷに表示されるコマンド実行ボタンＰＢを選択することにより、ＰＢ選択情報受信部２７が、各コマンド実行ボタンＰＢに対応したコマンド実行ボタン選択情報のいずれかを受信すると開始される。
【０１８７】
第７のプラント監視処理手順が開始されると、最初に、第７のＭＷ制御プロセス（ステップＳ１，ステップＳ３０，ステップＳ３１，ステップＳ２）がなされる。第７のＭＷ制御プロセスでは、まず、ステップＳ１で選択コマンド生成ステップがなされ、ＰＢ選択情報受信部２７がコマンド実行ボタン選択情報に対応する選択コマンドを生成する。
【０１８８】
選択コマンド生成ステップＳ１で生成された選択コマンドが、ステップＳ３０においてウインドウを切り替えるＯＷ選択コマンドである場合（ステップＳ３０でＹＥＳの場合）には、続いて、ステップＳ３１に進み、ステップＳ３１で出力先ウインドウ切替ステップがなされる。出力先ウインドウ切替ステップでは、出力先ウインドウ切替部６１が、ＯＷ選択コマンドを受け取り、ＯＷ選択コマンド以外のコマンドを送信する相手の切り替えを行う。出力先ウインドウ切替部６１がＯＷ選択コマンド以外のコマンドを送信する相手の切り替えを行うと、出力先ウインドウ切替ステップを完了する。そして、出力先ウインドウ切替ステップを完了とともに第７のＭＷ制御プロセスを完了して、次のコマンド入力を待つ。
【０１８９】
一方、選択コマンド生成ステップで生成された選択コマンドがウインドウを切り替えるコマンド（ＯＷ選択コマンド）でない場合（ステップＳ３０でＮＯの場合）には、続いて、ステップＳ２に進む。ステップＳ２以降の処理ステップについては、第１のプラント監視処理手順と同様である。
【０１９０】
本発明の第７の実施形態に係るプラント監視方法によれば、第７のプラント監視処理手順を実行するにあたり、第７のＭＷ制御プロセスにおいて、生成された選択コマンドがＯＷ選択コマンドである場合には、出力先ウインドウ切替ステップを行うので、コマンド実行結果の出力先となる出力用ウインドウＯＷを選択して切り替えることができる。
【０１９１】
また、他の実施形態に係るプラント監視方法と同様に、第７のＯＷ制御プロセスにおいて、選択コマンドに対応したコマンドの実行に必要なコマンド実行処理情報３２をコピーしてデータ保存領域３３に格納した後に、データ保存領域３３へアクセスしてコマンドを実行することができる。従って、新たなコマンドの実行に伴い、新たな出力用ウインドウＯＷが開くことがなく、簡潔な画面表示を維持することができる。
【０１９２】
［第８の実施形態］
本発明の第８の実施形態に係るプラント監視装置の一実施例であるプラント監視装置１０Ｈは、コマンドを実行した結果についての表示情報を少なくとも二つ以上のＣＲＴ表示装置１５に表示するように構成されたものである。
【０１９３】
図１４は、本発明の第８の実施形態に係る監視装置の一実施例であるプラント監視装置１０Ｈにおける機能構成図である。尚、プラント監視装置１０Ａ〜１０Ｇと実質的に相違しない箇所には同じ符号を付して説明を省略する。また、コマンド実行結果の出力先となるＣＲＴ表示装置１５の個数は、図１２と同様に二つの場合を表している。
【０１９４】
図１４に示すプラント監視装置１０Ｈでは、一例として、メニューウインドウＭＷに四つのコマンド実行ボタン、すなわち、第１のコマンド実行ボタンＰＢ１、第２のコマンド実行ボタンＰＢ２、第３のコマンド実行ボタンＰＢ３および第４のコマンド実行ボタンＰＢ４を有する。
【０１９５】
また、実行対象となるコマンドのうち、第３のコマンドおよび第４のコマンドは、出力先であるＣＲＴ表示装置１５の切り替えを行うためのコマンド（以下、ＣＲＴ選択コマンドとする）であり、第３のコマンドを第１のＣＲＴ表示装置１５ａを出力先として選択するＣＲＴ１選択コマンドとし、第４のコマンドを第２のＣＲＴ表示装置１５ｂを出力先として選択するＣＲＴ２コマンドとして説明する。
【０１９６】
プラント監視装置１０Ｈでは、図１４に示すように、コマンドの実行結果を出力する先として複数のＣＲＴ表示装置１５ａ，１５ｂがあり、任意のＣＲＴ表示装置１５を選択する必要がある。このため、プラント監視装置１０ＨのＭＷ制御プロセス実行手段１９Ｈは、図１に示したＭＷ制御プロセス実行手段１９Ａに対して、コマンドの送信先となる表示手段を切り替える出力先表示手段切替部としての出力先ＣＲＴ切替部６７をさらに備える。出力先ＣＲＴ切替部６７は、コマンドの実行結果を表示するＣＲＴ表示装置１５に応じて、コマンドの送信先を切り替える。
【０１９７】
また、ＯＷ制御プロセス実行手段２０Ｈは、ＣＲＴ表示装置１５の個数と同数のＯＷ制御プロセス実行手段２０Ａを備える。つまり、図１４に示すＯＷ制御プロセス実行手段２０Ｈは、選択されたコマンドを実行して第１のＣＲＴ表示装置１５ａの出力用ウインドウＯＷに実行結果を出力するＣＲＴ１用ＯＷ制御プロセス実行手段２０Ａ１と、第２のＣＲＴ表示装置１５ｂの出力用ウインドウＯＷに実行結果を出力するＣＲＴ２用ＯＷ制御プロセス実行手段２０Ａ２とを備える。
【０１９８】
つまり、ＭＷ制御プロセス実行手段１９Ｈがコマンドを送信する相手は、ＯＷ制御プロセス実行手段２０Ｈに備えられるＣＲＴ１用ＯＷ制御プロセス実行手段２０Ａ１か、ＣＲＴ２用ＯＷ制御プロセス実行手段２０Ａ２である。
【０１９９】
ＣＲＴ１用ＯＷ制御プロセス実行手段２０Ａ１は、ＭＷ制御プロセス実行手段１９Ｈからコマンドを受け取り、所定のコマンドを実行した後、実行結果を第１のＣＲＴ表示装置１５ａの出力用ウインドウＯＷに出力する。また、ＣＲＴ２用ＯＷ制御プロセス実行手段２０Ａ２は、ＭＷ制御プロセス実行手段１９Ｈからコマンドを受け取り、所定のコマンドを実行した後、実行結果を第２のＣＲＴ表示装置１５ｂの出力用ウインドウＯＷに出力する。
【０２００】
プラント監視装置１０Ｈによれば、ＭＷ制御プロセス実行手段１９ＨおよびＯＷ制御プロセス実行手段２０ｈを具備し、ＭＷ制御プロセス実行手段１９Ｈが出力先ＣＲＴ切替部６７を備えるので、コマンド実行結果を表示可能に接続される複数のＣＲＴ表示装置１５のうち、一のＣＲＴ表示装置１５を選択して、選択したＣＲＴ表示装置１５にコマンド実行結果を表示させることができる。
【０２０１】
また、ＯＷ制御プロセス実行手段２０Ｈは、データ保存領域３３に格納されるコマンド実行処理情報３２を参照してコマンドを実行し、実行結果に係る表示情報を出力用ウインドウＯＷに送信するように構成されるので、不要な出力用ウインドウＯＷが表示画面上に残ることなく、簡潔な画面表示を維持することができる。
【０２０２】
次に、図１５を参照して本発明の第８の実施形態に係るプラント監視方法について説明する。
【０２０３】
図１５は、本発明の第８の実施形態に係るプラント監視方法を説明する処理フロー図である。
【０２０４】
本発明の第８の実施形態に係るプラント監視方法は、プラント監視装置１０Ｈが第８のプラント監視処理手順を実行することでなされ、第８のプラント監視処理手順は、メニューウインドウＭＷを制御する第８のＭＷ制御プロセスと、出力用ウインドウＯＷを制御する第８のＯＷ制御プロセスとを具備する。
【０２０５】
第８のＭＷ制御プロセスは、図１で示した第１のＭＷ制御プロセスに対して、ＰＢ選択情報受信部２７から出力されるコマンドがＯＷ選択コマンドの場合（ステップＳ４０でＹＥＳの場合）にＯＷ選択コマンド以外のコマンドを送信する相手の切り替えを行う出力先ＣＲＴ切替ステップ（ステップＳ４１）とをさらに備える。すなわち、第８のＭＷ制御プロセスは、選択コマンド生成ステップ（ステップＳ１）と、出力先ＣＲＴ切替ステップ（ステップＳ４１）と、選択コマンド送信ステップ（ステップＳ２）とを備える。
【０２０６】
また、第８のＯＷ制御プロセスは、実質的に第１のＯＷ制御プロセスと同じである。すなわち、第８のＯＷ制御プロセスは、選択コマンド受信ステップ（ステップＳ３）と、コマンド実行処理情報コピーステップ（ステップＳ４）と、コマンド実行処理ステップ（ステップＳ５）と、ＯＷ表示更新ステップ（ステップＳ６）とを備える。
【０２０７】
第８のプラント監視処理手順は、ユーザがメニューウインドウＭＷに表示されるコマンド実行ボタンＰＢを選択することにより、ＰＢ選択情報受信部２７が、各コマンド実行ボタンＰＢに対応したコマンド実行ボタン選択情報のいずれかを受信すると開始される。
【０２０８】
第８のプラント監視処理手順が開始されると、最初に、第８のＭＷ制御プロセス（ステップＳ１，ステップＳ４０，ステップＳ４１，ステップＳ２）がなされる。第８のＭＷ制御プロセスでは、まず、ステップＳ１で選択コマンド生成ステップがなされ、ＰＢ選択情報受信部２７がコマンド実行ボタン選択情報に対応する選択コマンドを生成する。
【０２０９】
選択コマンド生成ステップＳ１で生成された選択コマンドがＣＲＴ選択コマンドであると判定された場合（ステップＳ４０でＹＥＳの場合）には、続いて、ステップＳ４１に進み、ステップＳ４１で出力先ＣＲＴ切替ステップがなされる。出力先ＣＲＴ切替ステップでは、出力先ＣＲＴ切替部６７が、ＣＲＴ選択コマンドを受け取り、ＣＲＴ選択コマンド以外のコマンドを送信する相手の切り替えを行う。出力先ＣＲＴ切替部６７がＣＲＴ選択コマンド以外のコマンド送信先の切り替えを行うと、出力先ＣＲＴ切替ステップを完了する。そして、出力先ＣＲＴ切替ステップの完了とともに第８のＭＷ制御プロセスを完了して、次のコマンド入力を待つ。
【０２１０】
一方、選択コマンド生成ステップＳ１で生成された選択コマンドがＣＲＴ選択コマンド以外のコマンドであると選択された場合（ステップＳ４０でＮＯの場合）には、続いて、ステップＳ２に進む。ステップＳ２以降の処理ステップについては、第１のプラント監視処理手順と同様である。
【０２１１】
本発明の第８の実施形態に係るプラント監視方法によれば、第８のプラント監視処理手順を実行するにあたり、第８のＭＷ制御プロセスにおいて、生成された選択コマンドがＣＲＴ選択コマンドである場合には、出力先ＣＲＴ切替ステップを行うので、コマンド実行結果の出力先となるＣＲＴ表示装置１５を選択して切り替えることができる。
【０２１２】
また、他の実施形態に係るプラント監視方法と同様に、第８のＯＷ制御プロセスにおいて、選択コマンドに対応したコマンドの実行に必要なコマンド実行処理情報３２をコピーしてデータ保存領域３３に格納した後に、データ保存領域３３へアクセスしてコマンドを実行することができる。従って、新たなコマンドの実行に伴い、新たな出力用ウインドウＯＷが開くことがなく、簡潔な画面表示を維持することができる。
【０２１３】
本発明に係るプラント監視装置およびプラント監視方法によれば、メニューウインドウＭＷから入力されたコマンド実行要求に対して、ＭＷ制御プロセス１９が生成したコマンド実行要求信号を受け取ったＯＷ制御プロセス実行手段２０が、コマンド実行処理に必要なコマンド実行処理情報３２をコマンド実行処理ファイル２５からコピーし自己に備えられたデータ保存領域３３に格納し、データ保存領域３３に格納されるコマンド実行処理情報３２を参照してコマンドを実行することができる。
【０２１４】
すなわち、コマンド実行の際、コマンド実行処理ファイル２５を直接読み込むことがなくなるので、コマンド実行結果が表示される際、新たな出力用ウインドウＯＷが表示画面に開くことがなく、現在表示中の出力用ウインドウＯＷの表示内容を更新することができる。従って、コマンド実行の際、不要な出力用ウインドウＯＷが表示画面上に残ることがなくなり、簡潔な画面表示を維持することができる。
【０２１５】
また、画面表示またはリスト表示の順番を前進または後進させた後の画面についての表示情報を出力用ウインドウＯＷに送信するので、画面表示またはリスト表示の順番を前進または後進させた後であっても、不要な出力用ウインドウＯＷ（表示画面）が画面上に残ることがなくなり、簡潔な画面表示を維持することができる。
【０２１６】
さらに、異なるフィルタリングレベルを設定すれば、各フィルタリングレベル毎に順番を前後させることができ、かつ、不要な出力用ウインドウＯＷ（表示画面）を画面上に残すことなく簡潔な画面表示を維持することができる。
【０２１７】
一方、当初から存在する複数の出力用ウインドウＯＷが存在する場合には、当初から存在する複数の出力用ウインドウＯＷのうち、一の出力用ウインドウＯＷを選択してコマンド実行結果を表示させることができる。
【０２１８】
また、コマンド実行結果の出力先となるＣＲＴ表示装置１５が複数個ある場合には、複数個あるＣＲＴ表示装置１５のうち、一のＣＲＴ表示装置１５を選択してコマンド実行結果を表示させることができる。
【０２１９】
尚、本発明に係る監視装置は、プラント監視装置を例として説明したが、実施例に記載したようなプラント監視装置に限定されることなく、種々の監視装置に適用できる。
【０２２０】
また、プラント監視装置１０（１０Ａ〜１０Ｈ）において、コマンド実行処理ファイル１８は、データ記録手段１６に格納されるとしたが、ＯＷ制御プロセス実行手段２０がアクセス可能な外部のデータ記録手段に格納されていても良い。
【０２２１】
さらに、プラント監視装置１０（１０Ａ〜１０Ｈ）において、入出力手段がＣＲＴ（Cathode Ray Tube：ブラウン管）表示装置である例に説明したが、必ずしもＣＲＴ表示装置でなくても良い。例えば、ＬＣＤ（Liquid Crystal Display：液晶ディスプレイ）表示装置等の他の表示装置であっても構わない。
【図面の簡単な説明】
【０２２２】
【図１】本発明の第１の実施形態に係る監視装置の一実施例であるプラント監視装置における機能構成図。
【図２】本発明の第１の実施形態に係るプラント監視方法を説明する処理フロー図。
【図３】本発明の第２の実施形態に係る監視装置の一実施例であるプラント監視装置における機能構成図。
【図４】本発明の第２の実施形態に係るプラント監視方法を説明する処理フロー図。
【図５】本発明の第３の実施形態に係る監視装置の一実施例であるプラント監視装置における機能構成図。
【図６】本発明の第３の実施形態に係るプラント監視方法を説明する処理フロー図。
【図７】本発明の第４の実施形態に係る監視装置の一実施例であるプラント監視装置における機能構成図。
【図８】本発明の第４の実施形態に係るプラント監視方法を説明する処理フロー図。
【図９】本発明の第５の実施形態に係る監視装置の一実施例であるプラント監視装置における機能構成図。
【図１０】本発明の第５の実施形態に係るプラント監視方法を説明する処理フロー図。
【図１１】本発明の第６の実施形態に係る監視装置の一実施例であるプラント監視装置における機能構成図。
【図１２】本発明の第７の実施形態に係る監視装置の一実施例であるプラント監視装置における機能構成図。
【図１３】本発明の第７の実施形態に係るプラント監視方法を説明する処理フロー図。
【図１４】本発明の第８の実施形態に係る監視装置の一実施例であるプラント監視装置における機能構成図。
【図１５】本発明の第８の実施形態に係るプラント監視方法を説明する処理フロー図。
【符号の説明】
【０２２３】
１５  ＣＲＴ表示装置（入出力手段）
１９  ＭＷ（メニューウインドウ）制御プロセス実行手段
２０  ＯＷ（出力用ウインドウ）制御プロセス実行手段
２５  コマンド実行処理ファイル
２５ａ  第１のコマンド実行処理ファイル
２５ｂ  第２のコマンド実行処理ファイル
２５ｃ  第１の画面表示ファイル
２５ｄ  第２の画面表示ファイル
２５ｅ  第１のリスト抽出キーファイル
２５ｆ  第２のリスト抽出キーファイル
２５ｇ  リスト抽出元データベース
２５ｈ  画面表示順番ファイル
２５ｉ  フィルタリング項目順番ファイル
２５ｉａ  第１のフィルタリング項目順番ファイル
２５ｉｂ  第２のフィルタリング項目順番ファイル
２７  コマンド実行ボタン選択情報受信部
２８  ステータス更新部
２９  コマンド送信部
３１  コマンド受信部
３２  コマンド実行処理情報
３３  データ保存領域
３５  コマンド実行処理情報コピー部
３６  コマンド実行処理部
３７  ウインドウ表示データ更新部
４０  画面表示コマンド送信部
４１  画面表示コマンド受信部
４２  画面表示コマンド実行処理情報コピー部
４３  画面表示コマンド実行処理部
４５  リスト表示コマンド送信部
４６  リスト表示コマンド受信部
４７  リスト表示コマンド実行処理情報コピー部
４８  リスト表示コマンド実行処理部
５０  画面表示前後進コマンド送信部
５１  画面表示前後進コマンド受信部
５２  画面表示順番情報コピー部
５３  画面表示順番記憶部
５６  フィルタリング前後進コマンド送信部
５７  フィルタリング前後進コマンド受信部
５８  フィルタリング項目順番情報コピー部
５９  フィルタリング項目順番記憶部
６１  出力先ウインドウ切替部
６５  分配手段
６７  出力先表示手段切替部
【図１】
2007052537.tif 000003
【図２】
2007052537.tif 000004
【図３】
2007052537.tif 000005
【図４】
2007052537.tif 000006
【図５】
2007052537.tif 000007
【図６】
2007052537.tif 000008
【図７】
2007052537.tif 000009
【図８】
2007052537.tif 000010
【図９】
2007052537.tif 000011
【図１０】
2007052537.tif 000012
【図１１】
2007052537.tif 000013
【図１２】
2007052537.tif 000014
【図１３】
2007052537.tif 000015
【図１４】
2007052537.tif 000016
【図１５】
2007052537.tif 000017